(57)【要約】【課題】マルチアンテナ通信システムのための送信ダイバーシティ処理【解決手段】マルチアンテナＯＦＤＭシステムにおける送信ダイバーシティに対して、データシンボルを得るために送信機はトラフィックデータを符号化し、インターリーブし、そしてシンボルマップする。送信機は、１対のアンテナから伝送に対する２対の送信シンボルを得るためにデータシンボルの各対を（１）空間-時間送信ダイバーシティに対しては２個のＯＦＤＭシンボル期間中に、あるいは（２）空間-周波数送信ダイバーシティに対しては２個のサブバンド上でのいずれかで処理する。ＮＴ（ＮＴ−１）／２個の異なったアンテナ対が、隣接のサブバンドに対して使用されている異なったアンテナ対とともに、データ伝送に対して使用される。ここでＮＴはアンテナの数である。システムは複数のＯＦＤＭシンボルサイズをサポートすることが可能である。【選択図】      図１
2011030262.tif 000002
【特許請求の範囲】
【請求項１】
無線マルチアンテナ直交周波数分割多重（ＯＦＤＭ）通信システムにおいて、伝送のためにデータを処理する方法であって、
符号化されたデータを得るために、コーディング方式に従ってトラフィックデータをコーディングし、
インターリーブされたデータを得るために、インターリービング方式に従って符号化されたデータをインターリービングし、
データシンボルのストリームを得るために、変調方式に従ってインターリーブされたデータをシンボルマッピングし、そして
１対のアンテナから伝送のための送信シンボルの２対を得るために、ストリーム内のデータシンボルの各対を処理する、ここで各送信シンボルはデータシンボルの変形である、
ことを含む方法。
【請求項２】
ここで、データシンボルの各対に対する送信シンボルの２個の対は、２個のＯＦＤＭシンボル期間中に同じサブバンド上のアンテナの対から送信される、請求項１記載の方法。
【請求項３】
ここで、データシンボルの各対に対する送信シンボルの２個の対は、１個のＯＦＤＭシンボル期間中に２個のサブバンド上の１対のアンテナから送信される、請求項１記載の方法。
【請求項４】
ここで、Ｎ個のアンテナがデータ伝送のために使用可能であり、そしてＮＴ・（ＮＴ−１）／２個の異なったアンテナの対がストリーム内のデータシンボルの対を送信するために使用される、ここでＮ>２である、請求項１記載の方法。
【請求項５】
ここで、複数のサブバンドがデータ伝送に対して使用され、そしてここで、異なったアンテナの対がデータ伝送に対して使用される隣接したサブバンドに対して使用される、請求項１記載の方法。
【請求項６】
ここで、システムはＳ個のサブバンドを有する第１のＯＦＤＭシンボルサイズおよびＬ個のサブバンドを有する第２のＯＦＤＭシンボルサイズをサポートする、ここでＳは１よりも大きい整数であり、そしてＬはＳの倍数の整数である、請求項１記載の方法。
【請求項７】
さらに、
複数のアンテナに対する複数の送信シンボルのストリームを形成し、そして
ＯＦＤＭシンボルの対応するストリームを得るために、第１あるいは第２のＯＦＤＭシンボルサイズに従って送信シンボルの各ストリームを変換する
ことを含む、請求項６記載の方法。
【請求項８】
ここで、コーディングは
固定された符号レートで符号ビットを得るために、ベース符号に従ってトラフィックデータをコーディングし、そして
システムによってサポートされる複数の符号レートの一つで符号ビットを含む符号化されたデータを得るために、固定された符号レートで符号ビットをパンクチャする
ことを含む、請求項１記載の方法。
【請求項９】
ここで、ベース符号はレート１／２畳み込み符号である、請求項８記載の方法。
【請求項１０】
ここで、複数の符号レートは複数のパンクチャリングパターンと組み合わせられている、請求項８記載の方法。
【請求項１１】
ここで、コーディングは、
固定された符号レートで符号ビットを得るために、ベース符号に従ってトラフィックデータをコーディングし、
固定された符号レートよりもより低い符号レートで符号ビットを含む符号化されたデータを得るために、固定された符号レートで符号ビットを反復する
ことを含む、請求項１記載の方法。
【請求項１２】
ここで、インターリービングは
符号化されたデータからの符号ビットのシーケンスを形成し、そして
シーケンスの各々に対してインターリービング方式に基づいて、シーケンス内の各符号ビットを複数のサブバンドの１個にマッピングする
ことを含む、請求項１記載の方法。
【請求項１３】
ここで、符号ビットの各シーケンスは１個のＯＦＤＭシンボル期間中に複数のサブバンド上の伝送に対して指定されている、請求項１２記載の方法。
【請求項１４】
ここで、インターリービングは
符号化されたデータから符号ビットのシーケンスを形成し、
シーケンスの各々を、サブバンドのＭ個のばらばらなグループ上に伝送のためにＭ個の符号ビットのブロックに分割し、なお符号ビットの１個のブロックはサブバンドの各グループに対するものであり、ここでＭ≧２であり、そして
各シーケンスに対するＭ個のブロックの各々に対して、インターリービング方式に基づいてブロック内の各符号ビットをそのブロックに対するグループ内のサブバンドの一つに対してマッピングする、
ことを含む、請求項１記載の方法。
【請求項１５】
ここで、シンボルマッピングは
インターリーブされたデータ内のＢ個のビットのセットをＢ-ビットのバイナリ値を形成するために分類し、ここでＢ≧１であり、そして
変調方式に基づいてＢ-ビットバイナリ値の各々をデータシンボルにマッピングする、ここで変調方式はその変調方式に対する信号コンスタレーション内の、２個の隣接したデータシンボルが、Ｂ個のビットの中の多くて１ビットだけ異なるようにグレイマッピングで定義されている
ことを含む、請求項１記載の方法。
【請求項１６】
ここで、シンボルマッピングはさらに、
セットの各々に対してＢ個のビットを再配列する、そしてここで再配列されたＢ個のビットのセットはＢ-ビットバイナリ値を形成するために使用される、
ことを含む、請求項１５記載の方法。
【請求項１７】
無線マルチアンテナ直交周波数分割多重（ＯＦＤＭ）通信システムにおける送信機であって、
符号化されたデータを得るために、コーディング方式に従ってトラフィックデータを符号化する能力を有するエンコーダと、
インターリーブされたデータを得るために、インターリービング方式に従って符号化されたデータをインターリーブする能力を有するインターリーバと、
データシンボルのストリームを得るために、変調方式に従ってインターリーブされたデータをシンボルマップする能力を有するシンボルマッピングユニットと、そして
１対のアンテナから伝送のための２対の送信シンボルを得るために、ストリーム内のデータシンボルの各々の対を処理する能力を有する送信空間的処理装置と、ここで、各送信シンボルはデータシンボルの変形である
を含む送信機。
【請求項１８】
ここで、送信空間的処理装置は空間-時間送信ダイバーシティを実行し、そして２個のＯＦＤＭシンボル期間中にデータシンボルの各々の対に対する２対の送信シンボルを与える能力を有する、請求項１７記載の送信機。
【請求項１９】
ここで、送信空間的処理装置は空間-周波数送信ダイバーシティを実行し、そして２個のサブバンド上にデータシンボルの各々の対に対する２対の送信シンボルを与える能力を有する、請求項１７記載の送信機。
【請求項２０】
ここで、システムはＳ個のサブバンドを有する第１のＯＦＤＭシンボルサイズおよびＬ個のサブバンドを有する第２のＯＦＤＭシンボルサイズをサポートする、ここでＳは１より大きい整数であり、そしてＬはＳの倍数の整数である、請求項１７記載の送信機。
【請求項２１】
さらに、
複数のアンテナに対する複数の変調器を含む、なお各変調器はアンテナに対するＯＦＤＭシンボルの対応するストリームを得るために組み合わせられたアンテナに対する送信シンボルのストリームを変換する能力を有する、請求項２０記載の送信機。
【請求項２２】
無線マルチアンテナ直交周波数分割多重（ＯＦＤＭ）通信システムにおける装置であって、
符号化されたデータを得るために、コーディング方式に従ってトラフィックデータをコーディングするための手段と、
インターリーブされたデータを得るために、インターリービング方式に従って符号化されたデータをインターリービングするための手段と、
データシンボルのストリームを得るために、変調方式に従ってインターリーブされたデータをシンボルマッピングするための手段と、そして
アンテナの１対からの伝送に対する２対の送信シンボルを得るために、ストリーム内のデータシンボルの各々の対を処理するための手段とを有する、ここで各送信シンボルはデータシンボルの変形である、
装置。
【請求項２３】
ここで、データシンボルの各対に対する２対の送信シンボルは、２個のＯＦＤＭシンボル期間中に１対のアンテナから送信される、請求項２２記載の装置。
【請求項２４】
ここで、データシンボルの各対に対する２対の送信シンボルは、２個のサブバンド上に１対のアンテナから送信される、請求項２２記載の装置。
【請求項２５】
ここで、システムは、Ｓ個のサブバンドを有する第１のＯＦＤＭシンボルサイズおよびＬ個のサブバンドを有する第２のＯＦＤＭシンボルサイズをサポートし、ここでＳは１よりもより大きい整数であり、そしてＬはＳの倍数の整数である、請求項２２記載の装置。
【請求項２６】
さらに、
複数のアンテナに対する送信シンボルの複数のストリームを形成するための手段と、そして
ＯＦＤＭシンボルの対応するストリームを得るために、第１あるいは第２のＯＦＤＭシンボルサイズに従って送信シンボルの各ストリームを変換するための手段と
を含む、請求項２５記載の装置。
【請求項２７】
無線マルチアンテナ通信システムにおいて、伝送のためにデータを処理する方法であって、方法は、
符号化されたデータを得るために、コーディング方式に従ってトラフィックデータをコーディングし、
インターリーブされたデータを得るために、インターリービング方式に従って符号化されたデータをインターリービングし、
データシンボルのストリームを得るために、変調方式に従ってインターリーブされたデータをシンボルマッピングし、そして
ストリーム内のデータシンボルの各々の対は１対のアンテナから送信され、そしてストリーム内のデータシンボルの連続的な対は異なったアンテナ対から送信されるように、データシンボルのストリームをデマルチプレクスする
ことを含む、方法。
【請求項２８】
ここで、デマルチプレクシングはさらに、符号化されたデータの各符号ビットは、符号ビットの符号レートに基づいて符号ビットに対して達成可能な最大数（番号）のアンテナから送信されるようになっている、請求項２７記載の方法。
【請求項２９】
ここで、ＭＩＭＯシステムは直交周波数分割多重（ＯＦＤＭ）を実行する、請求項２７記載の方法。
【請求項３０】
ここで、ストリーム内のデータシンボルの各々の対は、１個のサブバンド上の１対のアンテナから送信され、そしてここで隣接したサブバンドに対するデータシンボルの対は、異なったアンテナの対から送信される、請求項２９記載の方法。
【請求項３１】
ここで、符号化されたデータに対するＳ個の符号ビットの各グループはインターリーブされる、ここでＳはデータ伝送に使用されるサブバンドの数である、請求項２９記載の方法。
【請求項３２】
無線マルチアンテナ直交周波数分割多重（ＯＦＤＭ）通信システムにおいて、伝送のためにデータを処理する方法であって、方法は、
符号化されたデータを得るために、コーディング方式に従ってトラフィックデータをコーディングし、
インターリーブされたデータを得るために、インターリービング方式に従って符号化されたデータをインターリービングし、
データシンボルのストリームを得るために、変調方式に従ってインターリーブされたデータをシンボルマッピングし、そして
ストリーム内のデータシンボルの各々の対が２個のサブバンド上の１対のアンテナから送信されるように、データシンボルのストリームをデマルチプレクスする
ことを含む方法。
【請求項３３】
ここで、ストリーム内のデータシンボルの各々の対は、データ伝送に対して使用可能な２個の隣接したサブバンド上に送信される、請求項３２記載の方法。
【請求項３４】
さらに、
送信シンボルの第１および第２の対を得るために、ストリーム内のデータシンボルの各々の対を処理することを含む、なお送信シンボルはデータシンボルの対におけるデータシンボルの一つの変形であり、ここで送信シンボルの第１の対は第１のサブバンド上のアンテナの対から送信され、そして送信シンボルの第２の対は第２のサブバンド上のアンテナの対から送信される、請求項３２記載の方法。
【請求項３５】
ここで、送信シンボルの第１および第２の対は、一つのＯＦＤＭシンボル期間中に第１および第２のサブバンド上にそれぞれ同時に送信される、請求項３４記載の方法。
【請求項３６】
無線マルチアンテナ直交周波数分割多重（ＯＦＤＭ）通信システムにおいて、受信機においてデータを処理する方法であって、方法は、
受信されたシンボルのベクトルのストリームを取得し、なお各ベクトルはＮ個の受信アンテナに対するＮ個の受信されたシンボルを含み、ここでＮは１あるいはより大きく、
それは２個の送信アンテナからの送信シンボルの２対として送信された２個のデータシンボルの推定値である、２個の回復されたデータシンボルを得るために、ストリーム内の受信されたシンボルのベクトルの対の各々を処理し、なお各送信シンボルはデータシンボルの変形であり、ここで回復されたデータシンボルのストリームは、受信されたシンボルのベクトルのストリームに対して得られており、
復調されたデータを得るために、復調方式に従って回復されたデータシンボルのストリームをシンボルデマッピングし、
デインターリーブされたデータを得るために、デインターリービング方式に従って復調されたデータをデインターリービングし、そして
復号されたデータを得るために、復号方式に従ってデインターリーブされたデータを復号する
ことを含む方法。
【請求項３７】
ここで、受信されたシンボルのベクトルの対の各々は２個のＯＦＤＭシンボル期間に対するものである、請求項３６記載の方法。
【請求項３８】
ここで、受信されたシンボルのベクトルの対の各々は２個のサブバンドに対するものである、請求項３６記載の方法。
【請求項３９】
ここで、システムはＳ個のサブバンドを有する第１のＯＦＤＭシンボルサイズおよびＬ個のサブバンドを有する第２のＯＦＤＭシンボルサイズをサポートし、ここでＳは１よりもより大きい整数であり、そしてＬはＳの倍数の整数である、請求項３６記載の方法。
【請求項４０】
さらに、
受信アンテナに対して受信されたシンボルの対応するストリームを得るために、第１のあるいは第２のＯＦＤＭシンボルサイズに従ってＮ個の受信アンテナの各々に対するサンプルのストリームを変換することを含む、そしてここで受信されたシンボルのベクトルのストリームは、Ｎ個の受信アンテナに対する受信されたシンボルのＮ個のストリームから得られている、請求項３９記載の方法。
【請求項４１】
ここで、Ｎ＝１であり、そして各ベクトルは１個の受信アンテナに対する１個の受信されたシンボルを含む、請求項３６記載の方法。
【請求項４２】
ここで、Ｎ＞１であり、そして各ベクトルは複数の受信アンテナに対する複数の受信されたシンボルを含む、請求項３６記載の方法。
【請求項４３】
無線マルチアンテナ直交周波数分割多重（ＯＦＤＭ）通信システムにおける受信機であって、
受信されたシンボルのベクトルのストリームを受信し、２個の送信アンテナからの２対の送信シンボルとして送信された２個のデータシンボルの推定値である、２個の回復されたデータシンボルを得るために、ストリーム内の受信されたシンボルのベクトルの各々の対を処理する能力を有する受信空間的処理装置と、ここで、各ベクトルはＮ個の受信アンテナに対するＮ個の受信されたシンボルを含み、ここでＮは１あるいはより大きく、そしてここで、回復されたデータシンボルのストリームは受信されたシンボルのベクトルのストリームに対して得られており、
復調されたデータを得るために、復調方式に従って回復されたデータシンボルのストリームをシンボルデマップする能力を有するシンボルデマッピングユニットと
デインターリーブされたデータを得るために、デインターリービング方式に従って復調されたデータをデインターリーブする能力を有するデインターリーバと、そして
復号されたデータを得るために、復号方式に従ってインターリーブされたデータを復号する能力を有する復号器とを含む
受信機。
【請求項４４】
ここで、受信されたシンボルのベクトルの各々の対は２個のＯＦＤＭシンボル期間に対するものである、請求項４３記載の受信機。
【請求項４５】
ここで、受信されたシンボルのベクトルの各々の対は２個のサブバンドに対するものである、請求項４３記載の受信機。
【請求項４６】
ここで、システムはＳ個のサブバンドを有する第１のＯＦＤＭシンボルサイズおよびＬ個のサブバンドを有する第２のＯＦＤＭシンボルサイズをサポートする、ここでＳは１よりもより大きい整数であり、そしてＬはＳの倍数の整数である、
請求項４３記載の受信機。
【請求項４７】
さらに、
Ｎ個の受信アンテナに対するＮ個の復調器を含む、なお各復調器は、受信アンテナに対する受信されたシンボルの対応するストリームを得るために第１あるいは第２のＯＦＤＭシンボルサイズに従って、組み合わせられた受信アンテナに対するサンプルのストリームを変換する能力を有しており、そしてここで、受信されたシンボルのベクトルのストリームはＮ個の受信アンテナに対する受信されたシンボルのＮ個のストリームから得られている、請求項４６記載の受信機。
【請求項４８】
無線マルチアンテナ直交周波数分割多重（ＯＦＤＭ）通信システムにおける装置であって、
受信されたシンボルのベクトルのストリームを得るための手段と、なお各ベクトルはＮ個の受信アンテナに対するＮ個の受信されたシンボルを含んでおり、ここでＮは１あるいはより大きく
２個の送信アンテナからの送信シンボルの２個の対として送信された２個のデータシンボルの推定である、２個の回復されたデータシンボルを得るためにストリーム内の受信されたシンボルのベクトルの各々の対を処理するための手段と、なお各送信シンボルはデータシンボルの変形であり、ここで回復されたデータシンボルのストリームは受信されたシンボルのベクトルのストリームに対して得られており、
復調されたシンボルを得るために、復調方式に従って受信されたデータシンボルのストリームをシンボルデマッピングための手段と、
デインターリーブされたデータを得るために、デインターリービング方式に従って復調されたデータをデインターリービングするための手段と、そして
復号されたデータを得るために、復号方式に従ってデインターリーブされたデータを復号するための手段と
を含む装置。
【請求項４９】
ここで、受信されたシンボルのベクトルの対の各々は、２個のＯＦＤＭシンボル期間に対するものである、請求項４８記載の装置。
【請求項５０】
ここで、受信されたシンボルのベクトルの対の各々は、２個のサブバンドに対するものである、請求項４８記載の装置。
【請求項５１】
ここで、システムはＳ個のサブバンドを有する第１のＯＦＤＭシンボルサイズおよびＬ個のサブバンドを有する第２のＯＦＤＭシンボルサイズをサポートする、ここで、Ｓは１よりもより大きい整数であり、そしてＬはＳの倍数の整数である、請求項４８記載の装置。
【請求項５２】
さらに、
受信アンテナに対する受信されたシンボルの対応するストリームを得るために第１あるいは第２のＯＦＤＭシンボルサイズに従ってＮ個の受信アンテナの各々に対するサンプルのストリームを変換するための手段を含む、そしてここで受信されたシンボルのベクトルのストリームはＮ個の受信アンテナに対する受信されたシンボルのＮ個のストリームから得られている、請求項５１記載の装置。
【発明の詳細な説明】
【技術分野】
【０００１】
Ｉ．３５Ｕ．Ｓ．Ｃ．SS１１９に基く優先権の請求
本特許出願は、“ＭＩＭＯ  ＷＬＡＮシステム” と題された、２００２年１０月２５日に出願され、この譲受人に譲渡され、そしてそれによってこの中に参照によって明確に組み込まれた、仮出願シリアル番号６０／４２１，３０９に対して優先権を主張する。
【背景技術】
【０００２】
Ｉ．分野
本発明は、一般的に通信、そしてより特定的にはマルチアンテナ通信システムにおいて送信ダイバーシティに対するデータ処理のための技術に関する。
【０００３】
ＩＩ．背景
マルチアンテナ通信システムはデータ伝送のために、複数の（ＮＴ個の）送信アンテナおよび１個あるいはそれ以上の（ＮＲ個の）受信アンテナを使用する。ＮＴ個の送信アンテナは、これらのアンテナから独立したデータストリームを送信することによってシステムスループットを増加するために使用することが可能である。ＮＴ個の送信アンテナはまたこれらのアンテナから１個のデータストリームを冗長に送信することによって信頼性を改善するために使用することが可能である。
【０００４】
マルチアンテナシステムはまた、直交周波数分割多重（ＯＦＤＭ）を使用することが可能である。ＯＦＤＭは、全体のシステム帯域幅を複数の（ＮＦ個の）直交サブバンドに効率的に分割する変調技術である。各サブバンドはデータで変調されることが可能なそれぞれのサブキャリアと組み合わせられている。サブバンドはまた一般的にトーン、サブキャリア、ビン、および周波数チャネルとして参照される。
【０００５】
マルチアンテナシステムに対しては送信および受信アンテナの各対の間に伝播経路が存在する。ＮＴ・ＮＲ個の伝播経路が、ＮＴ個の送信アンテナおよびＮＲ個の受信アンテナ間に形成される。これらの伝播経路は異なったチャネル条件（たとえば、異なったフェージング、マルチパスおよび干渉効果）を経験することが可能であり、そして異なった信号対雑音および干渉比（ＳＮＲ）を得ることが可能である。ＮＴ・ＮＲ個の伝播経路のチャネル応答は、その結果経路ごとに変化することが可能である。分散性通信チャネルに対しては、各伝播経路に対するチャネル応答もまたＮＦ個のサブバンドに亙って変化する。チャネル条件は時間とともに変化することが可能であるために、伝播経路に対するチャネル応答もまた同様に変化することが可能である。
【０００６】
送信ダイバーシティは、データ伝送の信頼性を改善するために、空間、周波数、時間、あるいはこれらの３個のディメンションの組み合わせを、冗長的に亙るデータの伝送のことである。送信ダイバーシティの一つの目標は、強い特性を得るために可能な限り多くのディメンションにわたってデータ伝送に対するダイバーシティを最大とすることである。他の目標は、送信機および受信機の両者において送信ダイバーシティに対する処理を簡素化することである。その結果、当業界においては、マルチアンテナシステムにおける送信ダイバーシティに対して効率的にデータを処理する技術に対するニーズが存在する。
【発明の概要】
【０００７】
マルチアンテナＯＦＤＭシステムにおいて、送信ダイバーシティ処理を実行するための技術がこの中に与えられる。送信機は、符号化されたデータを得るためにコーディング方式に従ってトラフィックデータを符号化する。コーディング方式は、固定されたレートのベース符号および、システムによってサポートされる符号レートのセットに対する、反復および／あるいはパンクチャリングパターンのセットを含むことが可能である。送信機はインターリーブされたデータを得るためにインターリービング方式に従って符号化されたデータをインターリーブする。送信機は次にデータシンボルのストリームを得るために変調方式に従ってインターリーブされたデータをシンボルマップする。システムは、改善された効率のために、複数のＯＦＤＭシンボルサイズをサポートすることが可能である。同じ、あるいは類似のコーディング、インターリービング、および変調方式が、異なったＯＦＤＭシンボルサイズに対して送信機および受信機における処理を簡素化するために使用されることが可能である。
【０００８】
送信機は、１対の送信アンテナからの伝送に対する２対の送信シンボルを得るために各々のデータシンボルの対を処理する。各々の送信シンボルは、データシンボルの変形（version）である。２対の送信シンボルは１対のアンテナから（１）空間-時間送信ダイバーシティ（ＳＴＴＤ：space-time transmit diversity）に対しては２個のＯＦＤＭシンボル期間中に同じサブバンド上に、あるいは（２）空間-周波数送信ダイバーシティ（SFTD：space-frequency transmit diversity）に対しては同じＯＦＤＭシンボル期間中に２個のサブバンド上に、のいずれかで送信されることが可能である。もしもＮＴ個の送信アンテナがデータ伝送に対して使用可能であれば、そこでＮＴ・（ＮＴ−１）／２個の異なったアンテナ対がデータシンボルのストリームを送信するために使用可能である。送信機は送信アンテナに対する対応するＯＦＤＭシンボルのストリームを得るために、選択されたＯＦＤＭシンボルサイズに従って、各送信アンテナに対する送信シンボルのストリームを変換（たとえばＯＦＤＭ変調オンを実行）する。
【０００９】
受信機はトラフィックデータを回復するために以下に記述されると相補的な処理を実行する。本発明の種々の観点および実施例がさらに詳細に以下に記述される。
【図面の簡単な説明】
【００１０】
【図１】図１は、マルチアンテナＯＦＤＭシステムにおけるアクセスポイントおよび２個のユーザ端末を示す。
【図２】図２は、アクセスポイントの送信機部分を示す。
【図３】図３は、エンコーダを示す。
【図４】図４は、反復／パンクチャユニットおよびチャネルインターリーバを示す。
【図５】図５は、サブバンド-アンテナ指定方式を示す。
【図６】図６は、ＳＴＴＤ方式に対する送信（ＴＸ）空間的処理装置を示す。
【図７】図７は、ＳＦＴＤ方式に対するＴＸ空間的処理装置を示す。
【図８】図８は、変調器を示す。
【図９】図９は、複数のアンテナを有するユーザ端末を示す。
【図１０】図１０は、送信機において、送信ダイバーシティ処理を実行するための処理を示す。
【図１１】図１１は、受信機において送信ダイバーシティを有するデータ受信を実行するための処理を示す。
【発明を実施するための形態】
【００１１】
詳細な説明
用語“典型的な”は、この中では“実例、事実、あるいは例証として役立つ”ことを意味するために使用される。この中に“典型的な”として記述されたいかなる実施例も選定され、あるいは他の実施例よりも優れて有利であるとして解釈される必要はない。
【００１２】
この中に記述される送信ダイバーシティ処理技術は、（１）複数の送信アンテナおよび１個の受信アンテナを有する多入力、単出力（ＭＩＳＯ）システム、および（２）複数の送信アンテナおよび複数の受信アンテナを有する多入力、多出力（ＭＩＭＯ）システムに対して使用することが可能である。これらの技術はまた上りリンクと同様に下りリンクに対しても使用することが可能である。下りリンク（すなわち順方向リンク）は、アクセスポイント（たとえば基地局）からユーザ端末（たとえば移動局）への通信リンクであり、そして上りリンク（すなわち逆方向リンク）は、ユーザ端末からアクセスポイントへの通信リンクである。明確化のために、これらの技術はＯＦＤＭを使用する典型的なマルチアンテナシステム内の下りリンクに対して記述される。この典型的なシステムに対してはアクセスポイントは、４個のアンテナを装備され、そして各ユーザ端末は１個あるいはそれ以上のアンテナを装備される。
【００１３】
図１は、マルチアンテナＯＦＤＭシステム１００における１個のアクセスポイント１１０および２個のユーザ端末１５０ｘおよび１５０ｙの実施例に関するブロック線図を示す。ユーザ端末１５０ｘは１個のアンテナ１５２ｘを装備され、そしてユーザ端末１５０ｙは複数のアンテナ１５２ａ〜１５２ｒを装備される。
【００１４】
下りリンク上のアクセスポイント１１０において、送信（ＴＸ）データ処理装置１２０はデータソース１１２からトラフィックデータ（たとえば情報ビット）、制御器１３０から制御データ、そしてスケジューラ１３４からもしもあれば他のデータを受信する。種々の形式のデータは、異なった輸送チャネル上に送出されることが可能である。ＴＸデータ処理装置１２０は、変調シンボルのストリームを得るために１個あるいはそれ以上のコーディングおよび変調方式に基づいてデータの異なった形式を処理（たとえば形成し、スクランブルし、符号化し、インターリーブし、そしてシンボルマップ）する。この中に使用されるように、“データシンボル”はデータに対する変調シンボルを参照し、そして“パイロットシンボル”はパイロットに対する変調シンボルを参照する。ＴＸ空間的処理装置１２２はＴＸデータ処理装置１２０からデータシンボルストリームを受信し、データシンボルに送信ダイバーシティのための空間的処理を実行し、パイロットシンボルの中にマルチプレクスし、そして各送信アンテナに対する送信シンボルの１個のストリームを与える。ＴＸデータ処理装置１２０およびＴＸ空間的処理装置１２２による処理は、以下に記述される。
【００１５】
各変調器（ＭＯＤ）１２６は、ＯＦＤＭシンボルのストリームを得るためにそれぞれの送信シンボルストリームを受信しそして処理し、そしてさらに下りリンク信号を発生するためにＯＦＤＭシンボルストリームを調整（たとえば増幅し、濾波し、そして周波数アップコンバート）する。４個の変調器１２６ａ〜１２６ｄからの４個の下りリンク信号は４個のアンテナ１２８ａ〜１２８ｄからそれぞれユーザ端末に送信される。
【００１６】
各ユーザ端末１５０において１個あるいは複数のアンテナ１５２は送信された下りリンク信号を受信し、そして各アンテナは受信された信号をそれぞれの復調器（ＤＥＭＯＤ）１５４に与える。各復調器１５４は、変調器１２６において実行されたそれと相補的な処理を実行し、そして受信されたシンボルのストリームを与える。受信（ＲＸ）空間的処理装置１６０は、アクセスポイント１１０によって送信されたデータシンボルのストリームの推定である、回復されたデータシンボルのストリームを得るために、すべての復調器１５４からの受信されたシンボルストリームに空間的処理を実行する。ＲＸデータ処理装置１７０は回復されたデータシンボルを受信し、そしてそのそれぞれの輸送チャネルの中にデマルチプレクスする。各輸送チャネルに対する回復されたデータシンボルはそこでその輸送チャネルに対する復号されたデータを得るために処理され（たとえばデマップされ、デインターリーブされ、復号され、そしてデスクランブルされ）る。各輸送チャネルに対する復号されたデータは回復されたユーザデータ、制御データ、等々を含むことが可能である。そしてそれは、記憶のためのデータシンク１７２、および／あるいはさらなる処理のための制御器１８０に与えることが可能である。
【００１７】
各ユーザ端末１５０において、チャネル推定器（図１には示さず）は下りリンクチャネル応答を推定し、そしてチャネル利得（あるいは経路利得）推定値、ＳＮＲ推定値、等を含むことが可能なチャネル推定値を与える。ＲＸデータ処理装置１７０はまた、下りリンク上に受信された各パケット／フレームの状態を与えることが可能である。制御器１８０は、チャネル推定値およびパケット／フレーム状態を受信し、そしてアクセスポイント１１０に対する帰還情報を構成する。帰還情報および上りリンクデータはＴＸデータ処理装置１９０によって処理され、ＴＸ空間的処理装置１９２（もしもユーザ端末１５０にある場合は）によって空間的に処理され、パイロットシンボルとマルチプレクスされ、１個あるいはそれ以上の変調器１５４によって調整され、そして１個あるいはそれ以上のアンテナ１５２を経由してアクセスポイント１１０に送信される。
【００１８】
アクセスポイント１１０においては、送信された上りリンク信号はアンテナ１２８によって受信され、復調器１２６によって復調され、そしてＲＸ空間的処理装置１４０およびＲＸデータ処理装置１４２によって、ユーザ端末１５０において実行されたそれと相補的な方法で処理される。回復された帰還情報は、制御器１３０およびスケジューラ１３４に与えられる。スケジューラ１３４は、（１）下りリンクおよび上りリンクへのデータ伝送に対するユーザ端末のセットを予定し、そして（２）予定された端末に対して利用可能な下りリンクおよび上りリンク資源を割り当てる等の、いくつかの機能を実行するために帰還情報を使用することが可能である。
【００１９】
制御器１３０および１８０は、アクセスポイント１１０およびユーザ端末１５０それぞれにおける種々の処理ユニットの動作を制御する。たとえば、制御器１８０は、ユーザ端末１５０に対する下りリンクによってサポートされる最大レートを決定することが可能である。制御器１３０は、各予定されたユーザ端末に対するレート、ペイロードサイズ、およびＯＦＤＭシンボルサイズを選択することが可能である。
【００２０】
アクセスポイント１１０およびユーザ端末１５０における上りリンクに対する処理は下りリンクに対する処理と同じかあるいは異なるかも知れない。
【００２１】
システム１００は、異なったデータの形式を送信するために輸送チャネルのセットを使用する。典型的な設計においては、下りリンク上のアクセスポイント１１０は、放送チャネル（ＢＣＨ：broadcast channel）上にシステム情報、順方向制御チャネル（ＦＣＣＨ：forward control channel）上に制御データ、そして順方向チャネル（ＦＣＨ：forward channel）上に特定のユーザ端末に対するトラフィックデータを送信する。上りリンク上のユーザ端末１５０は、ランダムアクセスチャネル（ＲＡＣＨ：random access channel）上にアクセスデータおよびメッセージを、そして逆方向チャネル(ＲＣＨ：reverse channel)にトラフィックデータを送信する。他のシステム設計も異なったおよび／あるいは他の輸送チャネルを使用することが可能である。送信ダイバーシティは、輸送チャネルの各々に対して使用されることが可能である。
【００２２】
図２は、アクセスポイント１１０の送信機部分に関するブロック線図を示す。ＴＸデータ処理装置１２０の中で、たとえば巡回冗長検査（ＣＲＣ）値を発生し、そしてパケットに対してヘッダを付加することによって、フレーミングユニット２１２は各データパケットをフォーマットする。ＣＲＣ値は、パケットが正しくあるいは誤りをもって復号されるか否かを決定するために受信機によって使用されることが可能である。フレーミングは若干の輸送チャネルに対して実行され、そして他の輸送チャネルに対しては省略されることが可能である。フレーミングはまた、異なった輸送チャネルに対して異なることが可能である。各パケットは別々に符号化されそして変調され、そして特定の期間（たとえば１個あるいはそれ以上のＯＦＤＭシンボル期間）に亙る伝送に対して指定される。スクランブラ２１４は、データをランダム化するためにフレームされた／フレームされないデータをスクランブルする。
【００２３】
エンコーダ２１６は、コーディング方式に従ってスクランブルされたデータを符号化し、そして符号ビットを与える。符号化はデータ伝送の信頼性を増加する。反復／パンクチャユニット２１８は、各パケットに対する必要とされる符号レートを得るために符号ビットの若干を反復しあるいはパンクチャ（すなわち削除）する。一つの実施例においては、エンコーダ２１６はレート１／２バイナリ畳み込みエンコーダである。１／４の符号レートは各符号ビットを一度反復することによって得ることが可能である。１／２よりもより大きい符号レートはエンコーダ２１６から符号ビットの若干を削除することによって得られることが可能である。インターリーバ２２０は、インターリービング方式に基づいて反復／パンクチャユニット２１８からの符号ビットをインターリーブ（すなわち再配列）する。インターリービングは、符号ビットに対して時間、周波数、および／あるいは空間的ダイバーシティを与える。
【００２４】
シンボルマッピングユニット２２２は、選択された変調方式に従ってインターリーブされたデータをマップし、そしてデータシンボルを与える。シンボルマッピングは、（１）Ｂ-ビットバイナリ値を形成するためにＢ個のビットのセットを一団とし、ここでＢ≧１であり、そして（２）各Ｂ-ビットバイナリ値を選択された変調方式に対応する信号コンスタレーション内の点にマッピングすることによって達成することが可能である。各マップされた信号ポイントは複素値でありそしてデータシンボルに対応する。シンボルマッピングユニット２２２は、ＴＸ空間的処理装置１２２にデータシンボルのストリームを与える。
【００２５】
エンコーダ２１６、反復／パンクチャユニット２１８、インターリーバ２２０、およびシンボルマッピングユニット２２２に対する典型的な設計は以下に記述される。符号化、インターリービング、およびシンボルマッピングは、制御器１３０によって与えられる制御信号に基づいて実行されることが可能である。
【００２６】
ＴＸ空間的処理装置１２２はＴＸデータ処理装置１２０からのデータシンボルのストリームを受信し、そして以下に記述されるように送信ダイバーシティのための空間的処理を実行する。ＴＸ空間的処理装置１２２は、１個の送信シンボルのストリームを４個の送信アンテナに対する４個の変調器１２６ａ〜１２６ｄの各々に与える。
【００２７】
図３は、システムに対してベース符号(base code)を実行するエンコーダ２１６の実施例を示す。この実施例においては、ベース符号は、レート１／２、拘束長７（Ｋ＝７）、１３３および１７１発生器を用いた畳み込み符号（オクタル）である。
【００２８】
エンコーダ２１６の中でマルチプレクサ３１２は、スクランブラ２１４からの各パケットに対するスクランブルされたビットおよびテールビット（たとえば０）を受信し、そして６個のテールビットが付随したスクランブルされたビットを最初に与える。エンコーダ２１６はまた、連続して結合された６個の遅延エレメント３１４ａ〜３１４ｆを含む。４個の加算器３１６ａ〜３１６ｄがまた連続して結合され、そして第１の発生器（１３３）を実現するために使用される。同様に、４個の加算器３１８ａ〜３１８ｄが連続して結合され、そして第２の発生器（１７１）を実現するために使用される。加算器はさらに図３に示したように１３３および１７１の２個の発生器を実現するような方法で、遅延エレメント３１４に結合される。
【００２９】
スクランブルされたビットは、第１の遅延エレメント３１４ａおよび加算器３１６ａおよび３１８ａに与えられる。各クロックサイクルに対して加算器３１６ａ〜３１６ｄは、そのクロックサイクルに対する第１の符号ビットを得るために、到来ビットおよび遅延エレメント３１４ｂ、３１４ｃ、３１４ｅおよび３１４ｆに記憶された４個の先のビット間に、モジューロ２加算を実行する。同様に、加算器３１８ａ〜３１８ｄはそのクロックサイクルに対する第２の符号ビットを得るために到来ビットおよび遅延エレメント３１４ａ、３１４ｂ、３１４ｃ、および３１４ｆに記憶された４個の先のビット間にモジューロ２加算を実行する。マルチプレクサ３２０は、２個の発生器からの符号ビットの２個のストリームを受信し、符号ビットの１個のストリームにマルチプレクスする。各スクランブルされたビットｑｎに対して、ここでｎはビットインデックスであるが、２個の符号ビットｃ１ｎおよびｃ２ｎが発生され、そしてそれは、１／２の符号レートに帰着する。
【００３０】
システム１００はデータ伝送に対する“レート”のセットをサポートする。表１は、システムによってサポートされる、０から１３のレートインデックスによって識別される、１４個のレートの典型的なセットを表示している。インデックス０を有するレートはヌルデータレート（すなわちデータ伝送はない）に対するものである。０でないレートの各々は、特定のスペクトル効率、特定の符号レート、特定の変調方式、およびフェージングのないＡＷＧＮチャネルに対する特性の望まれるレベル（たとえば１％のパケット誤り率（ＰＥＲ））を達成するために必要とされる、特定の最小のＳＮＲと組み合わせられている。スペクトル効率はシステム帯域幅によって正規化されたデータレート（すなわち情報ビットレート）として参照され、そして秒あたり、ヘルツあたりのビットの単位（ｂｐｓ／Ｈｚ）で与えられる。各レートに対するスペクトル効率はコーディング方式およびそのレートに対する変調方式によって決定される。表１内の符号レート、および各レートに対する変調方式は、典型的なシステムに対して特定的である。
【表１】
2011030262.tif 000003
【００３１】
表１において、ＢＰＳＫはバイナリ位相シフトキーイングを示し、ＱＰＳＫは直交位相変調を示し、そしてＱＡＭは直交振幅変調を示す。
【００３２】
エンコーダ２１６は、各パケットを符号化し、１個のベース符号に基づいてレート１／２符号ビットを発生する。システムによってサポートされるすべての他の符号レートは（表１に示されるように）符号ビットを反復するかあるいはパンクチャするかの何れかによって得ることが可能である。
【００３３】
図４は、１／２のベース符号レートに基づいて種々の符号レートを発生するために使用されることが可能な、反復／パンクチャユニット２１８の実施例を示す。反復／パンクチャユニット２１８の中で、エンコーダ２１６からのレート１／２符号ビットは、反復ユニット４１２あるいはパンクチャリングユニット４１４のいずれかに与えられる。反復ユニット４１２は、１／４の実効符号レートを得るために各レート１／２符号ビットを一度反復する。パンクチャリングユニット４１４は、必要とされる符号レートを得るために特定のパンクチャリングパターンに基づいてレート１／２符号ビットの若干を削除する。表２は、システムによってサポートされる符号レートに対して使用することが可能な典型的なパンクチャリングパターンを示す。他のパンクチャリングパターンもまた使用されることが可能である。
【表２】
2011030262.tif 000004
【００３４】
ｋ／ｎ符号レートに対して、すべてのｋ個の情報ビットに対してｎ個の符号化されたビットが存在する。レート１／２ベース符号は、すべてのｋ個の情報ビットに対して２ｋ個のレート１／２符号ビットを与える。ｋ／ｎの符号レートを得るために、パンクチャリングユニット２１８は、エンコーダ２１６から受信された２ｋ個のレート１／２符号ビットの各入力グループに対してｎ個の符号ビットを出力する。したがって、２ｋ−ｎ個の符号ビットが、ｎ個のレートｋ／ｎ符号ビットを得るために２ｋ個のレート１／２符号ビットの各グループから削除される。各グループから削除されるべき符号ビットは、パンクチャリングパターンにおいて０によって示される。たとえば、７／１２の符号レートを得るために、パンクチャリングパターン“１１１１１１１０１１１１１０”によって示されるように、グループ内の８番目、および１４番目のビットである削除されるビットをもって、エンコーダ２１６からの１４個の符号ビットの各グループから２個の符号ビットが削除される。もしも望まれる符号レートが１／２である場合は、パンクチャリングは実行されない。
【００３５】
マルチプレクサ４１６は、反復ユニット４１２から符号ビットのストリームをそしてパンクチャリングユニット４１４から符号ビットのストリームを受信する。マルチプレクサ４１６は、もしも望まれる符号レートが１／４である場合は反復ユニット４１２からの符号ビットを、そしてもしも望まれる符号レートが１／２あるいはより高い場合はパンクチャリングユニット４１４からの符号ビットを与える。論理ユニット４１８は、コーディング制御を受信し、そしてパンクチャリングユニット４１４に対するパンクチャリング制御、およびマルチプレクサ４１６に対するマルチプレクサ制御を発生する。
【００３６】
上に記述されたそれら以外に、他のコーディング方式およびパンクチャリングパターンがまた、使用されることが可能である。そしてこれは、本発明の範囲内にある。たとえば、ターボ(Turbo)符号、低密度パリティチェック（ＬＤＰＣ）符号、ブロック符号、若干の他の符号、あるいはこれらの任意の組み合わせはデータを符号化するために使用することが可能である。また、異なったコーディング方式は、異なった輸送チャネルに対して使用することが可能である。たとえば、畳み込み符号はシステム情報および制御データを搬送する輸送チャネルに対して使用することが可能であり、そしてターボ符号はトラフィックデータを搬送する輸送チャネルに対して使用することが可能である。
【００３７】
以上に記述されたコーディングおよびパンクチャリング方式を用いて、複数の符号レートがアクセスポイントにおいて同じエンコーダで、そしてユーザ端末において同じ復号器でサポートされることが可能である。このことは、アクセスポイントおよびユーザ端末の設計を大いに簡素化することが可能である。
【００３８】
システム１００は、より大きい効率を得るために２個のＯＦＤＭシンボルサイズを使用する。典型的な設計においては、“短い”ＯＦＤＭシンボルは６４個のサブバンドを含み、そして“長い”ＯＦＤＭシンボルは２５６個のサブバンドを含む。短いＯＦＤＭシンボルに対しては、６４個のサブバンドは−３２から＋３１までのインデックスを割り当てられ、４８個のサブバンド（たとえばＫＳ＝±｛１，…，６，８，…，２０，２２，…，２６｝のインデックスを有する）はデータ伝送に使用されそしてデータサブバンドとして参照され、４個のサブバンド（たとえば±｛７，２１｝のインデックスを有する）はパイロット伝送に対して使用され、ＤＣサブバンド（０のインデックスを有する）は使用されず、そして残りのサブバンドもまた使用されず、そして防護サブバンドとして役立つ。長いＯＦＤＭシンボルに対しては、２５６個のサブバンドは−１２８から＋１２７のインデックスを割り当てられ、１９２個のサブバンド（たとえばＫＬ＝±｛１，…，２４，２９，…，８０，８５，…，１０４｝のインデックスを有する）はデータ伝送に使用され、１６個のサブバンド（たとえば±｛２５，…，２８，８１，…，８４｝のインデックスを有する）はパイロット伝送に対して使用され、ＤＣサブバンドは使用されず、そして残りのサブバンドもまた使用されず、そして防護サブバンドとして役立つ。
【００３９】
長いＯＦＤＭシンボルに対するパイロットおよびデータサブバンドは、次に基づいて短いＯＦＤＭシンボルに対するパイロットおよびデータサブバンドにマップされることが可能である。
【００４０】
kl＝４・ks−sgn（ks）・kos                                  式（１）
ここで、ksは短いＯＦＤＭシンボルのサブバンドに対するインデックスであり（ks  
∈ＫＳ）、
kosはサブバンドインデックスオフセットであり（kos∈｛0,1,2,3｝）
sgn（ks）はksの符号を与え、（すなわち“＋”あるいは“−”）そして
klは長いＯＦＤＭシンボルのサブバンドに対するインデックスである（kl∈ＫＬ）。
【００４１】
短いＯＦＤＭシンボルの各データ／パイロットサブバンドは、長いＯＦＤＭシンボルの、サブバンドインデックスオフセットkosに対する4個の値と組み合わせられた、4個のデータ／パイロットサブバンドと組み合わせられる。
【００４２】
表1はまた各０でないレートに対する各々の短い、そして長いＯＦＤＭシンボルの中に送出されることが可能なデータビットの数を示している。データパケットは、任意の数の長いＯＦＤＭシンボルおよび短いＯＦＤＭシンボルの小さい数を使用して送出することが可能である。たとえば、データパケットはＮＬ個の長いＯＦＤＭシンボルおよびＮＳ個の短いＯＦＤＭシンボルを使用して送出されることが可能であり、ここでＮＬ≧０、そして3≧ＮＳ≧0である。ＮＬ個の長いＯＦＤＭシンボルの終端部における、ＮＳ個の短いＯＦＤＭシンボルは、使用されていない容量の総量を減少する。したがって異なったサイズのＯＦＤＭシンボルは、パッキング効率を最大とするために、パケットペイロードに対するＯＦＤＭシンボルのデータ搬送容量をよりよく整合するために使用することが可能である。
【００４３】
一つの実施例においては、同じインターリービング方式が短い、および長いＯＦＤＭシンボルの両者に対して使用される。各短いＯＦＤＭシンボル内に送信されるべき符号ビットはすべての48個のデータサブバンドに亙ってインターリーブされる。各長いＯＦＤＭシンボル内に送信されるべき符号ビットは4個のブロックに分割され、そして各ブロック内の符号ビットは48個のデータサブバンドの各々のグループに亙ってインターリーブされる。両者の場合に対して、インターリービングは1個のＯＦＤＭシンボル期間中に実行される。
【００４４】
図4はまた、短い、および長いＯＦＤＭシンボルの両者に対して使用することが可能であるインターリーバ２２０の実施例を示す。インターリーバ220の中で、デマルチプレクサ４２２は反復／パンクチャユニット２１８からの各ＯＦＤＭシンボルに対する符号ビットのシーケンスを受信する。符号ビットシーケンスは｛ci｝として示され、ここで短いＯＦＤＭシンボルに対しては、i∈｛０，…，４８・Ｂ−１｝であり、長いＯＦＤＭシンボルに対してはi∈｛０，…，１９２・Ｂ−１｝であり、そしてＢは各変調シンボルに対する符号ビットの数である。
【００４５】
短いＯＦＤＭシンボルに対して、マルチプレクサ４２２はブロックインターリーバ４２４ａに次々にすべての４８・Ｂ符号ビットを与える。インターリーバ４２４ａはそこで、表３に示される周波数インターリービング方式に従って短いＯＦＤＭシンボルの４８個のデータサブバンドに亙って符号ビットをインターリーブ（すなわち再配列）する。このインターリービング方式に対してシーケンス｛ci｝内の各符号ビットはｉモジューロ-４８のビットインデックスを割り当てられる。シーケンス内の符号ビットは、各グループが０〜４７のビットインデックスを割り当てられた４８個の符号ビットを含む、Ｂ個のグループに効率的に分割される。各ビットインデックスはそれぞれのデータサブバンドと組み合わせられる。同じビットインデックスを有するすべての符号ビットはそのビットインデックスと組み合わせられたデータサブバンド上に送信される。たとえば、各グループにおける第１の符号ビット（０のビットインデックスを有する）は、サブバンド-２６上に送信され、第２の符号ビット（１のビットインデックスを有する）はサブバンド１上に送信され、第３の符号ビット（２のビットインデックスを有する）はサブバンド-１７上に送信される等々である。符号ビットの全シーケンスがインターリーブされてしまっている後にブロックインターリーバ４２４ａはインターリーブされたビットをマルチプレクサ４２６に与える。短いＯＦＤＭシンボルに対しては、ブロックインターリーバ４２４ｂ，４２４ｃ、および４２４ｄは使用されず、そしてマルチプレクサ４２６はブロックインターリーバ４２４ａのみからインターリーブされたビットを与えられる。
【表３】
2011030262.tif 000005
【００４６】
長いＯＦＤＭシンボルに対しては、デマルチプレクサ４２２はシーケンス内の４８・Ｂ符号ビットの第１のブロックをブロックインターリーバ４２４ａに、４８・Ｂ符号ビットの次のブロックをブロックインターリーバ４２４ｂに、４８・Ｂ符号ビットの第３のブロックをブロックインターリーバ４２４ｃに、そして４８・Ｂ符号ビットの最後のブロックをブロックインターリーバ４２４ｄに与える。インターリーバ４２４ａ〜４２４ｄ内の符号ビットの４個のブロックは、それぞれkos＝０，１，２，および３のサブバンドインデックスオフセットを割り当てられる。各ブロックインターリーバ４２４は、短いＯＦＤＭシンボルに対して上に記述された方法で、４８個のデータサブバンドに亙ってその符号ビットをインターリーブする。符号ビットの全シーケンスがインターリーブされてしまっている後に、マルチプレクサ４２６は、ブロックインターリーバ４２４ａ〜４２４ｄからのインターリーブされたビットを受信し、そしてこれらのビットを長いＯＦＤＭシンボルの対応するサブバンドに対する固有の順序にマップする。とくに、短いＯＦＤＭシンボルサブバンドインデックスksおよび、各ブロックインターリーバ４２４に対するサブバンドインデックスオフセットkosは、式（１）に示されたように、対応する長いＯＦＤＭシンボルサブバンドインデックスklを発生するために使用される。論理ユニット４２８は制御器１３０からＯＦＤＭシンボルサイズを受信し、そしてデマルチプレクサ４２２およびマルチプレクサ４２６に対する制御を発生する。
【００４７】
図４はチャネルインターリーバ２２０に対する典型的な設計を示す。短い、および長いＯＦＤＭシンボルの両者をサポートすることが可能な、他の設計もまた使用することが可能である。たとえば、インターリーブされるべき符号ビットのすべてを記憶するために、１個のインターリーバが使用されるかも知れない。マルチプレクサ４２６あるいはデマルチプレクサ４２２は、そこでこのインターリーバからの符号ビットを固有のサブバンドにマップするであろう。
【００４８】
表３に示された周波数インターリービング方式は符号ビットを、偶数のインデックスを有する（パンクチャリングの後に）符号ビットを負のインデックスを有するサブバンドに、そして奇数のインデックスを有する符号ビットを正のインデックスを有するサブバンドに割り当てる。符号レート１／２に対しては第１の発生器１３３からの符号ビットは負のインデックスを有するサブバンド上に送信され、そして第２の発生器１７１からの符号ビットは正のインデックスを有するサブバンド上に送信される。符号ビットはまた、各発生器からの符号ビットがすべてのデータサブバンド上に亙って拡散されるように混合されるかも知れない。
【００４９】
インターリービングは種々の他の方法で実行されるかも知れない。たとえば、データサブバンドに亙るインターリービングの後に、各サブバンドに対する符号ビットは、時間ダイバーシティを得るために複数のＯＦＤＭシンボル期間に亙ってさらにインターリーブされることが可能である。
【００５０】
短い、および長いＯＦＤＭシンボルの両者に対して、インターリーバ２２０は各々のＯＦＤＭシンボルに対してインターリーブされた符号ビットのシーケンスを与える。シーケンスは、各データサブバンドに対するＢ個のインターリーブされた符号ビットを含む。シンボルマッピングユニット２２２はそこで、表１に示されたように選択されたレートによって決定される変調方式に基づいて、インターリーブされた符号ビットをデータシンボルにマップする。
【００５１】
表４は、システムによってサポートされる６個の変調方式に対するシンボルマッピングを示す。各変調方式に対して（ＢＰＳＫに対するものを除き）Ｂ／２符号ビットは同相（Ｉ）成分にマップされそして他のＢ／２符号ビットは直交（Ｑ）成分にマップされる。一つの実施例においては、各変調方式に対する信号コンスタレーションは、グレイ（Gray）マッピングに基づいて定義されている。グレイマッピングにおいては信号コンスタレーション内の隣接する点（ＩおよびＱ成分の両者において）は、ただ１ビットの位置だけ異なる。グレイマッピングはより起こりそうな誤り事象に対するビット誤りの数を減少し、そしてそれは、正しい位置の近くの位置にマップされている受信されたシンボルに対応しており、いずれの場合においてもただ１個の符号ビットが誤りをもって検出されるであろう。
【表４】
2011030262.tif 000006
【００５２】
表４に示した４個のＱＡＭ変調方式の各々に対して、各成分に対する最も左のビット（the left-most bit)は、誤りをもって受信されることがもっとも起こりそうにないものであり、そして各成分に対する最も右のビット(the right-most bit)は、誤りをもって受信されることが最も起こりそうなものである。各ビット位置に対して誤りに関する等しい可能性を得るために、各ＱＡＭシンボルを構成するＢ個のビットは混合されることが可能である。これは事実上、ＱＡＭシンボルを形成する符号ビットがＱＡＭシンボルの異なったビット位置にマップされるようにＱＡＭシンボルのディメンションに亙ってインターリービングを実行することであろう。
【００５３】
表４に示された各変調方式に対するＩおよびＱの値は、組み合わせられた信号コンスタレーション内のすべての信号ポイントの平均電力がユニティに等しくなるように正規化係数Ｋmodによって換算される(are scaled)。各変調方式に対する正規化係数は表４に示されている。正規化係数に対する量子化された値もまた使用可能である。各データサブバンドに対するデータシンボルs(k)はそこで次の形態を有するであろう。
【００５４】
s(k)=（Ｉ＋ｊＱ）・Ｋmod                          式（２）
ここで、短いＯＦＤＭシンボルに対しては、ｋ∈ＫＳであり、そして長いＯＦＤＭシンボ  
ルに対しては、ｋ∈ＫＬである。
【００５５】
ＩおよびＱは、選択された変調方式に対する表４内の値である。そして
Ｋmodは、選択された変調方式によって異なる。
【００５６】
システム１００は２個の次元に亙る送信ダイバーシティを得るために空間的処理を実行する。一つの実施例においては、システム１００は、（１）短いＯＦＤＭシンボルに対して空間および時間ダイバーシティを得るために、サブバンドあたり、およびＯＦＤＭ-シンボル-対基準当りの空間-時間送信ダイバーシティ（ＳＴＴＤ）および（２）長いＯＦＤＭシンボルに対して空間および周波数ダイバーシティを得るために、サブバンド-対当りおよびＯＦＤＭ-シンボル基準当りの空間-周波数送信ダイバーシティ（ＳＦＴＤ）を実行する。
【００５７】
短いＯＦＤＭシンボルに対する典型的なＳＴＴＤ方式は次のように動作する。ｓ１およびｓ２として示される２個のデータシンボルが与えられたサブバンド上に送信されるべきものであると仮定しよう。アクセスポイントは２個のベクトル
【数１】
2011030262.tif 000007
【００５８】
および
【数２】
2011030262.tif 000008
【００５９】
を発生する。ここで、“＊”は、複素共役を示しそして“Ｔ”は転置(transpose)を示す。各ベクトルは、１個のＯＦＤＭシンボル期間中に２個のアンテナから送信されるべき２個の送信シンボルを含む（たとえば、ベクトルＸ＿１は、第１のＯＦＤＭシンボル期間中に２個のアンテナから送信され、そしてベクトルＸ＿２は、次のＯＦＤＭシンボル期間中に２個のアンテナから送信される）。各データシンボルは、このように２個のＯＦＤＭシンボル期間に亙って送信される（たとえば、送信シンボルｓ１は第１のＯＦＤＭシンボル期間中に、１個のアンテナから送信され、そして、送信シンボル−ｓ１＊は、次のＯＦＤＭシンボル期間中に他のアンテナから送信される）。
【００６０】
もしもユーザ端末が１個のアンテナを装備されている場合は、そこで、受信されたシンボルは
ｒ１＝ｈ１ｓ１＋ｈ２ｓ２＋ｎ１、そして              
ｒ２＝ｈ１ｓ２＊−ｈ２ｓ１＊＋ｎ２                    式（３）
として表されることが可能である。
ここで、ｒ１およびｒ２は、２個の連続したＯＦＤＭシンボル期間に対する２個の受
信されたシンボルであり、
ｈ１およびｈ２は、考慮対象のサブバンドに対する、２個の送信アンテナから受  
信アンテナまでの経路利得であり、そして
ｎ１およびｎ２は、２個の受信されたシンボルｒ１およびｒ２それぞれに対する
雑音である。
【００６１】
ユーザ端末は、２個のデータシンボルの推定値ｓ１およびｓ２を次のように導出することが可能である。
【数３】
2011030262.tif 000009
【００６２】
あるいは、アクセスポイントは２個のベクトルを、Ｘ＿１＝〔ｓ１−ｓ２＊〕Ｔ
およびＸ＿２＝〔ｓ２−ｓ１＊〕Ｔとして発生し、そしてこれらの２個のベクトルを続けて２個のＯＦＤＭシンボル期間中に送信することが可能である。ユーザ端末は２個のデータシンボルの推定値を
【数４】
2011030262.tif 000010
【００６３】
として導出することが可能である。
【００６４】
上の記述は、２個あるいはそれ以上の送信アンテナ、複数の受信アンテナ、および複数のサブバンドを有するシステムに対して拡張することが可能である。２個の送信アンテナは、各データサブバンドに対して使用される。ｓ１（ｋ）およびｓ２（ｋ）として示される２個のデータシンボルは、与えられたサブバンドｋ上に送信されるべきものであると仮定しよう。アクセスポイントは２個のベクトル、ｘ＿１（ｋ）＝〔ｓ１（ｋ）ｓ２（ｋ）〕Ｔおよびｘ＿２（ｋ）＝〔ｓ２＊（ｋ）−ｓ１＊（ｋ）〕Ｔ、あるいは等価的に２個のシンボルセット｛ｘｉ（ｋ）｝＝｛ｓ１（ｋ）ｓ２＊（ｋ）｝および｛ｘｊ（ｋ）｝＝｛ｓ２（ｋ）−ｓ１＊（ｋ）｝を発生する。各シンボルセットは、サブバンドｋ上のそれぞれのアンテナから、２個のＯＦＤＭシンボル期間中に連続して送信されるべき２個の送信シンボルを含む。（すなわち、シンボルセット｛ｘｉ（ｋ）｝は、２個のＯＦＤＭシンボル期間中にアンテナｉからサブバンドｋ上に送信され、そしてシンボルセット｛ｘｊ（ｋ）｝は、同じ２個のＯＦＤＭシンボル期間中にアンテナｊからサブバンドｋ上に送信される）。
【００６５】
もしもユーザ端末が複数のアンテナを装備される場合はそこで、受信されたシンボルは、
ｒ＿１（ｋ）＝ｈ＿ｉ（ｋ）ｓ１（ｋ）＋ｈ＿ｊ（ｋ）ｓ２（ｋ）＋ｎ＿１（ｋ）そして、
ｒ＿２（ｋ）＝ｈ＿ｉ（ｋ）ｓ２＊（ｋ）−ｈ＿ｊ（ｋ）ｓ１＊（ｋ）＋ｎ＿２（ｋ）
式（５）
として表されることが可能である。
【００６６】
ここで、ｒ＿１（ｋ）およびｒ＿２（ｋ）は、ユーザ端末において２個の連続したＯＦＤ
Ｍ期間中にサブバンドｋ上に受信された２個のシンボルベクトル  
であり、なお各ベクトルはＮＲ個の受信アンテナに対するＮＲ個の  
受信されたシンボルを含んでおり、
ｈ＿ｉ（ｋ）およびｈ＿ｊ（ｋ）は、サブバンドｋに対する送信アンテナｉおよ
びｊに対するそれぞれ経路利得のベクトルであり、なお、各ベクト    
ルは、組み合わせられた送信アンテナからＮＲ個の受信アンテナの
各々までのチャネル利得を含んでおり、そして
ｎ＿１（ｋ）およびｎ＿２（ｋ）は、２個の受信されたシンボルベクトルｒ＿１（ｋ）お
よびｒ＿２（ｋ）それぞれに対する雑音ベクトルである。
【００６７】
ユーザ端末は、２個のデータシンボルｓ１（ｋ）およびｓ２（ｋ）の推定値を次のように導出することが可能である。
【数５】
2011030262.tif 000011
【００６８】
あるいは、アクセスポイントは２個のシンボルセットｘｉ（ｋ）＝｛ｓ１（ｋ）ｓ２（ｋ）｝およびｘｊ（ｋ）＝｛−ｓ２＊（ｋ）ｓ１＊（ｋ）｝を発生し、そしてこれらのシンボルセットをアンテナｉおよびｊから送信することが可能である。ユーザ端末は２個のデータシンボルの推定値を、
【数６】
2011030262.tif 000012
【００６９】
および
【数７】
2011030262.tif 000013
【００７０】
として導出することが可能である。ここで、
【数８】
2011030262.tif 000014
【００７１】
である。
【００７２】
ＳＴＴＤ方式は各データサブバンドに対して１対の送信アンテナを使用する。もしもアクセスポイントが２個の送信アンテナを装備される場合は、そこで両アンテナは短いＯＦＤＭシンボルのすべての４８個のデータサブバンドに対して使用される。もしもアクセスポイントが４個の送信アンテナを装備される場合は、そこで各アンテナは４８個のデータサブバンドの半分に対して使用される。表５は、短いＯＦＤＭシンボルに対するＳＴＴＤ方式のための典型的なサブバンド-アンテナ割り当て方式を示す。
【表５】
2011030262.tif 000015
【００７３】
表５は、表５内に示されたサブバンド-アンテナ割り当て方式を示す。この方式に対しては、送信アンテナ１および２は、インデックス｛−２６，−１９，−１３，−６，２，９，１５，２２｝を有するサブバンドに対して使用され、送信アンテナ３および４は、インデックス｛-２５，-１８，−１２，−５，１，８，１４，２０｝を有するサブバンドに対して使用される、等である。４個の送信アンテナに対して６個の異なったアンテナ対が存在する。６個のアンテナ対の各々は、４８個のデータサブバンドに亙ってほぼ均一に間隔をあけられている、８個のデータサブバンドに対して使用される。サブバンド割り当てに対するアンテナ対は、異なったアンテナが隣接したサブバンドに対して使用されるようになっており、そしてそれは、より大きい周波数および空間的ダイバーシティを与えることが可能である。たとえば、アンテナ１および２は、サブバンド−２６に対して使用され、そしてアンテナ３および４は、サブバンド−２５に対して使用される。
【００７４】
表５におけるアンテナ-サブバンド割り当てはまた、すべての４個の送信アンテナが最低の１／４の符号レートに対する各符号ビットに対して使用されるようになっている。そしてそれは、空間的ダイバーシティを最大とする。符号レート１／４に対しては、各符号ビットは反復され、そしてすべての４個のアンテナがその符号ビットを送信するために使用されるように、２個のばらばらなアンテナ対に対してマップされた２個のサブバンド上に送出される。たとえば、図３においてビットインデックス０および１は、同じ反復された符号ビットに対応し、インデックス０を有する符号ビットはアンテナ１および２からサブバンド−２６上に送信され、そしてインデックス１を有する符号ビットはアンテナ３および４からサブバンド１上に送信される。
【００７５】
長いＯＦＤＭシンボルは、短いＯＦＤＭシンボル期間の約４倍である。処理遅延およびバッファリング必要条件を最小にするために、空間-周波数送信ダイバーシティが、２個の長いＯＦＤＭシンボルを２個のアンテナから２個のサブバンド上に同時に送信するために使用される。
【００７６】
長いＯＦＤＭシンボルに対する典型的なＳＦＴＤ方式は次のように動作する。ｓ（ｋｌ）およびｓ（ｋｌ＋１）として示される２個のデータシンボルが発生され、そして長いＯＦＤＭシンボルの２個の隣接したサブバンドにマップされると仮定しよう。アクセスポイントは、シンボルｓ（ｋｌ）およびｓ（ｋｌ＋１）を２個のアンテナからサブバンドｋｌ上に送信し、そしてシンボルｓ＊（ｋｌ＋１）および−ｓ＊（ｋｌ）を、同じ２個のアンテナからサブバンドｋｌ＋１上に送信する。隣接したサブバンドは、チャネル応答は２個のサブバンドに亙って近似的に一定であると仮定されることからデータシンボルの対に対して使用される。
【００７７】
もしもアクセスポイントが２個の送信アンテナを装備される場合は、そこで両アンテナは長いＯＦＤＭシンボルのすべての１９２個のデータサブバンドに対して使用される。もしもアクセスポイントが４個の送信アンテナを装備される場合は、そこで表５に示されたと同じサブバンド-アンテナ割り当てが長いＯＦＤＭシンボルに対してもまた使用されることが可能である。この場合、長いＯＦＤＭシンボルに対するインデックスｋｌのサブバンドは短いＯＦＤＭシンボルに対する対応するインデックスｋｓのサブバンドに次のように最初にマップされる。
【数９】
2011030262.tif 000016
【００７８】
ここで、
【数１０】
2011030262.tif 000017
【００７９】
は、ｚに対する最も近いより低い整数を与えるフロア演算子であり、そして
kosは長いＯＦＤＭサブバンドインデックスｋｌに対するサブバンドインデックスオフセットである（kos∈｛０，１，２，３｝）。マップされた短いＯＦＤＭシンボルサブバンドインデックスksに対応するアンテナ対は、表５から決定され、そしてインデックスｋｌを有する長いＯＦＤＭシンボルサブバンドに対して使用される。
【００８０】
ＳＦＴＤ方式に対しては、ユーザ端末における２個のデータシンボルの推定を得るための処理は、式（４）および（６）に示されたようにして実行されることが可能である。しかしながら、計算は２個のＯＦＤＭシンボル期間の代わりに２個のサブバンド上で得られた受信されたシンボル上で実行される。
【００８１】
図６は、短いＯＦＤＭシンボルに対してＳＴＴＤ方式を実行するＴＸ空間的処理装置１２２ａに関するブロック線図である。ＴＸ空間的処理装置１２２ａは、図１におけるＴＸ空間的処理装置１２２の一つの実施例である。
【００８２】
ＴＸ空間的処理装置１２２ａの中で、デマルチプレクサ６１２は、ＴＸデータ処理装置１２０からデータシンボル｛ｓ（ｋ）｝のストリームを受信し、短いＯＦＤＭシンボルの４８個のデータサブバンドに対する４８個のデータシンボルサブストリームの中にストリームをデマルチプレクスし、そして各サブストリームをそれぞれの空間-時間エンコーダ６２０に与える。各サブストリームはＴｓ−１のシンボルレートに対応する各短いＯＦＤＭシンボル期間に対する１個のデータシンボルを含む。ここでＴｓは１個の短いＯＦＤＭシンボルの期間である。
【００８３】
各空間-時間エンコーダ６２０の中でデマルチプレクサ６２２は、データシンボルサブストリームを、（２Ｔｓ）−１のシンボルレートを有する各シーケンスで２個のシンボルシーケンスの中にデマルチプレクスする。第１のシンボルシーケンスは、シーケンス内の各シンボルを反転(invert)し、そして結合(conjugate)するスイッチ６２８ａおよびユニット６２４ｂの“０”入力に与えられる。第２のシンボルシーケンスは、シーケンス内の各シンボルを結合するスイッチ６２８ｂおよびユニット６２４ａの“０”入力に与えられる。遅延ユニット６２６ａはユニット６２４ａからのシンボルを１個の短いＯＦＤＭシンボル期間だけ遅延し、そして遅延したシンボルをスイッチ６２８ａの“１”入力に与える。遅延ユニット６２６ｂはユニット６２４ｂからのシンボルを１個の短いＯＦＤＭシンボル期間だけ遅延し、そして遅延したシンボルをスイッチ６２８ｂの“１”入力に与える。スイッチ６２８ａは短いＯＦＤＭシンボルレートでトグル(toggle)し、シンボルセット｛ｘｉ（ｋ）｝＝｛ｓ１（ｋ）ｓ２＊（ｋ）｝を、１個の送信アンテナに対して各２個のＯＦＤＭシンボル期間与える。同様に、スイッチ６２８ｂは、短いＯＦＤＭシンボルレートでトグルし、そしてシンボルセット｛ｘｊ（ｋ）｝＝｛ｓ２（ｋ）−ｓ１＊（ｋ）｝を、他の送信アンテナに対して各２個のＯＦＤＭシンボル期間与える。
【００８４】
バッファ／マルチプレクサ６３０ａ〜６３０ｄは、空間-時間エンコーダ６２０からの送信シンボルをバッファしそしてマルチプレクスする。各バッファ／マルチプレクサ６３０は、表５によって決定されたように適切な空間-時間エンコーダ６２０からのパイロットシンボルおよび送信シンボルを受信する。とくに、バッファ／マルチプレクサ６３０ａは、アンテナ１にマップされたすべてのサブバンド（たとえばサブバンド−２６，−２４，−２２，−１９等）に対する送信シンボルを受信し、バッファ／マルチプレクサ６３０ｂは、アンテナ２にマップされたすべてのサブバンド（たとえばサブバンド−２６，−２３，−２０，−１９等）に対する送信シンボルを受信し、バッファ／マルチプレクサ６３０ｃは、アンテナ３にマップされたすべてのサブバンド（たとえばサブバンド−２５，−２４，−２０，−１８等）に対する送信シンボルを受信し、そしてバッファ／マルチプレクサ６３０ｄは、アンテナ４にマップされたすべてのサブバンド（たとえばサブバンド−２５，−２３，−２２，−１８等）に対する送信シンボルを受信する。
【００８５】
各バッファ／マルチプレクサ６３０はそこで、各短いＯＦＤＭシンボル期間中に４個のパイロットサブバンドに対する４個のパイロットシンボル、２４個のデータサブバンドに対する２４個の送信シンボル、そして６４個の全サブバンドに対する６４個の送信シンボルのシーケンスを形成するために、３６個の使用されないサブバンドに対する３６個の０の信号値（すなわち“ゼロ”シンボル）をマルチプレクスする。短いＯＦＤＭシンボルに対しては、４８個のデータサブバンドが存在するが、各サブバンドに対して２個のアンテナのみが使用され、そして各アンテナに対する使用されないサブバンドの実効数はしたがって１２の代りに３６であるために、２４個のサブバンドのみがＳＴＴＤ方式に対する各送信アンテナとして使用される。シーケンス内の各送信シンボルは、エンコーダ６２０からの送信シンボル、パイロットシンボル、あるいはゼロシンボルであることが可能であり、そして１個の短いＯＦＤＭシンボル期間中に１個のサブバンド上に送出される。各バッファ／マルチプレクサ６３０は、送信シンボル｛ｘｉ（ｋ）｝のストリームを１個の送信アンテナに与える。各送信シンボルストリームは、６４個の送信シンボルの連鎖状になったシーケンス、各ＯＦＤＭシンボル期間に対する１個のシーケンスを含む。
【００８６】
図７は、長いＯＦＤＭシンボルに対するＳＦＴＤ方式を実行するＴＸ空間的処理装置１２２ｂに関するブロック線図を示す。ＴＸ空間的処理装置１２２ｂは、図１におけるＴＸ空間的処理装置１２２の他の実施例である。
【００８７】
ＴＸ空間的処理装置１２２ｂの中で、デマルチプレクサ７１２はＴＸデータ処理装置１２０からデータシンボル｛ｓ（ｋ）｝のストリームを受信し、長いＯＦＤＭシンボルの１９２個のデータサブバンドに対する１９２個のデータシンボルサブストリームの中にストリームをデマルチプレクスし、そして各サブストリームの対をそれぞれの空間-周波数エンコーダ７２０に与える。各サブストリームは、ＴＬ−１のシンボルレートに対応する各長いＯＦＤＭシンボル期間に対する１個のデータシンボルを含む。ここで、ＴＬは、１個の長いＯＦＤＭシンボルの期間である。
【００８８】
各空間-周波数エンコーダ７２０は、２個のサブバンドｋｌおよびｋｌ＋１に対するデータシンボルサブストリームの対を受信する。各エンコーダ７２０の中で、ユニット７２４ａはサブバンドｋｌ＋１に対するサブストリーム内の各シンボルを結合し、そしてユニット７２４ｂは、サブバンドｋｌに対するサブストリーム内の各シンボルを反転しそして結合する。各エンコーダ７２０は、（１）サブバンドｋｌ上への伝送のための２個の組み合わせられたアンテナに対する２個のバッファ／マルチプレクサ７３０に対する２個のデータシンボルサブストリーム、（２）サブバンドｋｌ＋１上への伝送のための同じ２個のアンテナに対する、ユニット７２４ａおよび７２４ｂからの２個のサブストリームを与える。各空間-周波数エンコーダ７２０へのそして、からのすべてのサブストリームに対するシンボルレートはＴＬ−１である。
【００８９】
各バッファ／マルチプレクサ７３０は、式（７）および表５によって決定されたように、パイロットシンボルを受信し、適切な空間-周波数エンコーダ７２０からのシンボルを送信する。とくに、バッファ／マルチプレクサ７３０ａ、７３０ｂ、７３０ｃ、および７３０ｄは、アンテナ１，２，３、および４、それぞれにマップされたすべてのサブバンドに対する送信シンボルを受信する。各バッファ／マルチプレクサ７３０はそこで、各長いＯＦＤＭシンボル期間に対して、１６個のパイロットサブバンドに対する１６個のパイロットシンボル、１９２個のデータサブバンドに対する１９２個の送信シンボル、そして２５６個の全サブバンドに対する２５６個の送信シンボルのシーケンスを形成するために、４８個の使用されないサブバンドに対する４８個のゼロシンボルをマルチプレクスする。ＳＦＴＤ方式に対しては、すべての１９２個のデータサブバンドがデータ伝送に対して使用される。各バッファ／マルチプレクサ７３０は、１個の送信アンテナに対する送信シンボル｛ｘｉ（ｋ）｝のストリームを与える。
【００９０】
図８は、図１における変調器１２６ａ〜１２６ｄの各々に対して使用されることが可能な変調器１２６ｘの実施例に関するブロック線図である。変調器１２６ｘは、送信機ユニット（ＴＭＴＲ）８２０と結合されたＯＦＤＭ変調器８１０を含む。ＯＦＤＭ変調器８１０は、可変サイズ逆高速フーリエ変換（ＩＦＦＴ）ユニット８１２および周期的プレフィックス発生器８１４を含む。ＩＦＦＴユニット８１２は、送信シンボル｛ｘｉ（ｋ）｝のストリームを受信し、ストリーム｛ｘｉ（ｋ）｝内のＬ個の送信シンボルの各シーケンス上にＬ-ポイントＩＦＦＴを実行し、そして変換されたシンボルに対するＬ個の時間-領域チップに関する対応するシーケンスを与える。ＯＦＤＭシンボルサイズＬは制御器１３０によって与えられた制御信号によって示され、そして短いＯＦＤＭシンボルに対してはＬ＝６４であり、そして長いＯＦＤＭシンボルに対しては、Ｌ＝２５６である。周期的プレフィックス発生器８１４は、対応するＯＦＤＭシンボルを形成するためにＩＦＦＴユニット８１２からの各変換されたシンボルの一部を反復する。ＯＦＤＭシンボル期間は１個のＯＦＤＭシンボルの期間に対応する。周期的プレフィックス発生器８１４の出力は制御信号によって決定されるサイズを有するＯＦＤＭシンボルのストリームである。送信機ユニット８２０は、ＯＦＤＭシンボルのストリームを１個あるいはそれ以上のアナログ信号に変換し、そしてさらに組み合わせられたアンテナ１２８ｘからの伝送に対して適切な下りリンク信号を発生するために、アナログ信号を調整（たとえば、増幅し、濾波し、そして周波数アップコンバート）する。
【００９１】
図９は、複数のアンテナを有する（ＮＲ＞１）ユーザ端末１５０ｙに関するブロック線図を示す。アクセスポイント１１０からの下りリンク信号は、アンテナ１５２ａ〜１５２ｒの各々によって受信される。各アンテナは受信された信号をそれぞれの復調器１５４に与える。
【００９２】
各復調器１５４の中で受信機ユニット（ＲＣＶＲ）９１２は、その受信した信号を調整（たとえば、周波数ダウンコンバートし、増幅し、そして濾波）し、そしてディジタイズし、そしてＯＦＤＭ復調器にサンプルのストリームを与える。ＯＦＤＭ復調器は、周期的プレフィックス除去ユニット９１４および可変サイズ高速フーリエ変換（ＦＦＴ）ユニット９１６を含む。ユニット９１４は、各ＯＦＤＭシンボル内の周期的プレフィックスを削除し、そしてＬ個のサンプルを含む対応する受信され、変換されたシンボルを与える。ここでＬは、ＯＦＤＭシンボルサイズによって異なる。可変サイズＦＦＴユニット９１６は、ユニット９１４からサンプルのストリームを受信し、受信され変換されたシンボルに対するストリーム内のＬ個のサンプルの各シーケンスに対してＬ-ポイントＦＦＴを実行し、そしてＬ個の受信されたシンボルの対応するシーケンスを変換されたシンボルに与える。復調器１５４ａ〜１５４ｒは、受信されたシンボル（データに対する）のＮＲ個のストリームをＲＸ空間的処理装置１６０ｙに、そして受信されたパイロットシンボルをチャネル推定器９６０に与える。
【００９３】
ＲＸ空間的処理装置１６０ｙは、たとえば式（６）に示されたように、受信されたシンボルのＮＲ個のストリーム上に、チャネル推定器９６０からのチャネル利得推定との空間的処理を実行する。ＲＸ空間的処理装置１６０ｙは、ＲＸデータ処理装置１７０ｙに、アクセスポイント１１０により送信された、データシンボル｛ｓ（ｋ）｝のストリームの推定である、回復されたデータシンボル
【数１１】
2011030262.tif 000018
【００９４】
を与える。
【００９５】
ＲＸデータ処理装置１７０ｙの中で、シンボルデマッピングユニット９７２は、制御器１８０ｙによって与えられた復調制御によって示されたように、データストリームに対して使用された変調方式に従って回復されたデータシンボルを復調する。チャネルデインターリーバ９７４はそこで、制御器１８０ｙによって与えられたデインターリービング制御によって示されたようにアクセスポイント１１０において実行されたインターリービングと相補的な方法で復調されたデータをデインターリーブする。短いＯＦＤＭシンボルに対しては、デインターリービングは、各短いＯＦＤＭシンボルに対する４８個のデータサブバンドに亙って、上に記述されたインターリービングと相補的に実行される。長いＯＦＤＭシンボルに対しては、デインターリービングはまた上に記述されたようにして４８個のデータサブバンドの４個のブロックの各々に亙って実行される。復号器９７６はそこでデインターリーブされたデータを、制御器１８０ｙによって与えられた復号制御によって示されたように、アクセスポイント１１０において実行された符号化と相補的な方法で復号する。ビタビ(Viterbi)復号器が上に記述された畳み込みコーディング方式に対する復号器９７６として使用されることが可能である。デスクランバ９７８はアクセスポイント１１０において実行されたスクランブリングと相補的な方法で復号されたデータをデスクランブルする。図９には示されないがＣＲＣ検査器はパケットが正しくあるいは誤りをもって受信されたか否かを決定するためにパケット内に含まれるＣＲＣ値に基づいて各パケットを検査することが可能である。パケット状態はユーザ端末１５０ｙによって誤って受信されたパケットの再伝送を開始するために使用されることが可能である。
【００９６】
チャネル推定器９６０は、受信されたパイロットシンボルに基づいて種々のチャネル特性（たとえば経路利得および雑音分散）を推定する。チャネル推定器９６０は、これらの経路利得推定値を式（６）に示されたようにして送信されたデータシンボルを回復するために使用する、ＲＸ空間的処理装置１６０ｙへの各アクセスポイントアンテナに対して経路利得推定値のベクトル
【数１２】
2011030262.tif 000019
【００９７】
を与える。チャネル推定器９６０はまた、制御器１８０ｙにチャネル推定を与える。制御器１８０ｙは、ユーザ端末１５０ｙにおける送信ダイバーシティ処理に関する種々の機能を実行することが可能である。制御器１８０ｙはまた、チャネル推定および／あるいは他の考慮に基づいてデータ伝送に対して使用するための固有のレートおよびＯＦＤＭシンボルサイズを選択することが可能である。
【００９８】
１個のアンテナ１５２ｘを装備されたユーザ端末１５０ｘに対して、復調器１５４ｘは受信したシンボルの１個のストリームを与える。ＲＸ空間的処理装置１６０ｘは受信したシンボルのストリーム上でチャネル利得推定との（たとえば式（４）に示されたようにして）空間的処理を実行し、そして回復したデータシンボルのストリーム
【数１３】
2011030262.tif 000020
【００９９】
を与える。ＲＸデータ処理装置１７０ｘはそこで、上にユーザ端末１５０ｙに対して記述された方法で回復されたデータシンボルストリームをシンボルデマップし、デインターリーブし、復号し、そしてデスクランブルする。
【０１００】
明確化のために、送信ダイバーシティ処理技術は典型的なマルチアンテナＯＦＤＭシステム内の下りリンクに対して上に記述されてきている。これらの技術はまた複数のアンテナを装備したユーザ端末によって上りリンクに対して使用することが可能である。また明確化のためにこれらの技術はＯＦＤＭシステムに対して記述されてきている。１個のＯＦＤＭシンボルサイズ、（上に記述したように）２個のＯＦＤＭシンボルサイズ、あるいは２個以上のＯＦＤＭシンボルサイズをサポートすることが可能である。これらの技術の多くは単一搬送波マルチアンテナシステムに対して使用されることがまた可能である。
【０１０１】
図１０はマルチアンテナＯＦＤＭシステム内の送信機における送信ダイバーシティ処理を実行するための処理１０００に関するフロー線図である。送信機は符号化されたデータを得るために、トラフィックデータをコーディング方式に従って符号化する（ブロック１０１２）。コーディング方式は固定されたレートのベース符号(fixed rate base code)および反復および／あるいはシステムによってサポートされる符号レートのセットに対するパンクチャリングパターンを含む。送信機はそこでインターリーブされたデータを得るために（ブロック１０１４）インターリービング方式に従って符号化されたデータをインターリーブする。送信機は次にデータシンボルのストリームを得るために（ブロック１０１６）変調方式に従ってインターリーブされたデータをシンボルマップする。送信機はそこで、送信アンテナの対からの伝送のために２対の送信シンボルを得るためにデータシンボルの各々の対を処理する。各送信シンボルはデータシンボルの変形である。２対の送信シンボルは、２個のＯＦＤＭシンボル期間中あるいは２個のサブバンド上のいずれかでアンテナの対から送信される。もしもＮＴ個の送信アンテナがデータ伝送に対して使用可能である場合は、そこでＮＴ・（ＮＴ−１）／２個の異なったアンテナの対がデータシンボルを送信するために使用されることが可能である。もしもシステムが複数のＯＦＤＭシンボルサイズをサポートする場合は、そこで送信機は送信アンテナに対するＯＦＤＭシンボルの対応するストリームを得るために選択されたＯＦＤＭシンボルサイズに従って各送信アンテナに対して送信シンボルのストリームを変換（たとえばＯＦＤＭ変調オンを実行）する（ブロック１０２０）。
【０１０２】
図１１は、マルチアンテナＯＦＤＭシステム内の受信機において送信ダイバーシティを有するデータ受信を実行するための処理１１００に関するフロー線図を示す。受信機は、受信アンテナに対する受信されたシンボルの対応するストリームを得るために、選択されたＯＦＤＭシンボルサイズに従ってＮＲ個の受信アンテナの各々に対するサンプルのストリームを変換する。ここでＮＲ＞１である（ブロック１１１２）。受信機は受信されたシンボルのベクトルのストリームを得る。ここで各ベクトルはＮＲ個のアンテナに対するＮＲ個の受信されたシンボルを含み、そして１個のＯＦＤＭシンボル期間中の１個のサブバンドに対するものである（ブロック１１１４）。受信機は式（４）あるいは（６）に示されたように２個の回復されたデータシンボルを得るために、受信されたシンボルのベクトルの各対をチャネル推定値とともに処理する（ブロック１１１６）。２個のベクトルは、ＳＴＴＤ方式においては２個のＯＦＤＭシンボル期間に対するものであり、ＳＦＴＤ方式においては２個のサブバンドに対するものである。回復されたデータシンボルのストリームは、受信されたシンボルのベクトルのストリームに対して得られる。受信機はそこで、復調されたデータを得るために復調方式に従って回復されたデータシンボルのストリームをシンボルデマップし（ブロック１１１８）、デインターリーブされたデータを得るためにデインターリービング方式に従って復調されたデータをデインターリーブし（ブロック１１２０）、そして復号されたデータを得るために復号方式に従ってデインターリーブされたデータを復号する（ブロック１１２２）。復調、デインターリービング、および復号方式は、送信機において使用された、変調、インターリービング、およびコーディング方式とそれぞれ相補的である。
【０１０３】
この中に記述された送信ダイバーシティ処理技術は、種々の手段によって実現されることが可能である。たとえば、これらの技術はハードウエア、ソフトウエア、あるいはそれらの組み合わせによって実現されることが可能である。ハードウエア実現に対しては、アクセスポイントおよびユーザ端末の各々において送信ダイバーシティ処理を実行するために使用される処理ユニットは、１個あるいはそれ以上の特定用途向け集積回路（ＡＳＩＣ）、ディジタル信号処理装置（ＤＳＰ）、ディジタル信号処理デバイス（ＤＳＰＤ）、プログラマブル論理デバイス（ＰＬＤ）、フィールドプログラマブルゲートアレイ（ＦＰＧＡ）、処理装置、制御器、マイクロ制御器、マイクロ処理装置、この中に記述された機能を実行するために設計された他の電子的ユニット、あるいはこれらの組み合わせの中で実現されることが可能である。記憶ユニットは処理装置の中で、あるいは処理装置の外部で実現されることが可能であり、いずれの場合もそれは当業界において知られた種々の手段によって処理装置と通信的に結合されることが可能である。
【０１０４】
ソフトウエア実現に対しては、送信ダイバーシティ処理技術は、この中に記述された機能を実行するモジュール（たとえばたとえば手順、機能等々）で実現されることが可能である。ソフトウエアコードは記憶ユニット（たとえば図１における記憶ユニット１３２、１８２ｘ，あるいは１８２ｙ）内に記憶され、そして処理装置（たとえば制御器１３０、１８０ｘ、あるいは１８０ｙ）によって実行されることが可能である。
【０１０５】
開示された実施例に関する以上の記述は、当業界において熟練したいかなる人にも本発明を作成しそして使用することを可能とするために与えられる。これらの実施例に対する種々の変形が、当業界において熟練した人々には容易に明白であり、そしてこの中に定義された一般的な原理は本発明の精神あるいは範囲から逸脱することなしに他の実施例に適用することが可能である。したがって、本発明はこの中に示された実施例に限定されることを意図したものではなく、しかし、この中に開示された原理および新規な特徴と矛盾しない最も広い範囲に一致されるべきものである。
【図１】
2011030262.tif 000021
【図２】
2011030262.tif 000022
【図３】
2011030262.tif 000023
【図４】
2011030262.tif 000024
【図５】
2011030262.tif 000025
【図６】
2011030262.tif 000026
【図７】
2011030262.tif 000027
【図８】
2011030262.tif 000028
【図９】
2011030262.tif 000029
【図１０】
2011030262.tif 000030
【図１１】
2011030262.tif 000031
【手続補正書】
【提出日】平成22年11月1日(2010.11.1)
【手続補正１】
【補正対象書類名】特許請求の範囲
【補正対象項目名】全文
【補正方法】変更
【補正の内容】
【特許請求の範囲】
【請求項１】
無線マルチアンテナ直交周波数分割多重（ＯＦＤＭ）通信システムにおいて、伝送のためにデータを処理する方法であって、
符号化されたデータを得るために、コーディング方式に従ってデータパケットのデータビットをコーディングし、
インターリーブされたデータを得るために、インターリービング方式に従って該符号化されたデータをインターリービングし、
少なくともＳサブバンドに関連する第１のＯＦＤＭサイズおよびＬサブバンドに関連する第２のＯＦＤＭシンボルサイズから、少なくとも１つのＯＦＤＭシンボルサイズを選択し、ここでＬはＳより大きく、そして
伝送ダイバーシティ方式を使用する１つまたはそれより多い伝送アンテナ対における伝送に関する該選択されたＯＦＤＭシンボルサイズのＯＦＤＭシンボルのストリームを得るために、該選択されたＯＦＤＭシンボルサイズに従って、該インターリーブされたデータを処理することを含む方法。
【請求項２】
ＬはＳの倍数の整数である、請求項１記載の方法。
【請求項３】
該第２のＯＦＤＭシンボルサイズが選択された場合、該インターリーブされたデータを処理することは該第２のＯＦＤＭシンボルのサブバンドを該第１のＯＦＤＭシンボルにマッピングすることを含む、請求項２記載の方法。
【請求項４】
少なくとも１つのＯＦＤＭシンボルサイズを選択することは該第１および第２のＯＦＤＭシンボルサイズを選択することを含み、そして
該インターリーブされたデータを処理することは、１つまたはそれより多くの伝送アンテナ対を使用する伝送のために、該第１および第２のＯＦＤＭシンボルサイズのＯＦＤＭシンボルのストリームを得ることを含む、
請求項１記載の方法。
【請求項５】
該伝送ダイバーシティ方式は、該第１のＯＦＤＭサイズ選択された場合、空間-時間伝送ダイバーシティ（ＳＴＴＤ）方式を含み、そして
該伝送ダイバーシティ方式は、該第２のＯＦＤＭサイズ選択された場合、空間-周波数伝送ダイバーシティ（ＳＦＴＤ）方式を含む、
請求項１記載の方法。
【請求項６】
該ＳＴＴＤ方式はサブバンドあたり、およびＯＦＤＭ-シンボル-対基準当り実行され、そして、
該ＳＦＴＤ方式はサブバンド対あたり、およびＯＦＤＭ-シンボル基準当り実行される、
請求項５記載の方法。
【請求項７】
無線マルチアンテナ直交周波数分割多重（ＯＦＤＭ）通信システムにおいて、伝送のためにデータを処理する装置であって、
符号化されたデータを得るために、コーディング方式に従ってデータパケットのデータビットをコーディングするための論理と、
インターリーブされたデータを得るために、インターリービング方式に従って該符号化されたデータをインターリービングするための論理と、
少なくともＳサブバンドに関連する第１のＯＦＤＭサイズおよびＬサブバンドに関連する第２のＯＦＤＭシンボルサイズから、少なくとも１つのＯＦＤＭシンボルサイズを選択するための論理と、ここでＬはＳより大きく、そして
伝送ダイバーシティ方式を使用する１つまたはそれより多い伝送アンテナ対における伝送に関する該選択されたＯＦＤＭシンボルサイズのＯＦＤＭシンボルのストリームを得るために、該選択されたＯＦＤＭシンボルサイズに従って該インターリーブされたデータを処理する論理とを含む、
装置。
【請求項８】
ＬはＳの倍数の整数である、請求項７記載の装置。
【請求項９】
該第２のＯＦＤＭシンボルサイズが選択された場合、該インターリーブされたデータを処理するための該論理は、該第２のＯＦＤＭシンボルのサブバンドを該第１のＯＦＤＭシンボルのサブバンドにマップするように構成される、請求項８記載の装置。
【請求項１０】
少なくとも１つのＯＦＤＭシンボルサイズを選択する該論理は、該第１および第２のＯＦＤＭシンボルサイズを選択するための論理を含み、そして
該インターリーブされたデータを処理するための該論理は、１つまたはそれより多くの伝送アンテナ対を使用する伝送のために、該第１および第２のＯＦＤＭシンボルサイズのＯＦＤＭシンボルのストリームを得るための論理を含む、
請求項７記載の装置。
【請求項１１】
該伝送ダイバーシティ方式は、該第１のＯＦＤＭサイズ選択された場合、空間-時間伝送ダイバーシティ（ＳＴＴＤ）方式を含み、そして
該伝送ダイバーシティ方式は、該第２のＯＦＤＭサイズ選択された場合、空間-周波数伝送ダイバーシティ（ＳＦＴＤ）方式を含む、
請求項７記載の装置。
【請求項１２】
該ＳＴＴＤ方式は、サブバンドあたりおよびＯＦＤＭ-シンボル-対基準あたり実行され、そして、
該ＳＦＴＤ方式は、サブバンド対あたりおよびＯＦＤＭ-シンボル基準あたり実行される、
請求項１１記載の装置。
【請求項１３】
無線マルチアンテナ直交周波数分割多重（ＯＦＤＭ）通信システムにおいて、伝送のためにデータを処理する装置であって、
符号化されたデータを得るために、コーディング方式に従ってデータパケットのデータビットをコーディングするための手段と、
インターリーブされたデータを得るために、インターリービング方式に従って該符号化されたデータをインターリービングするための手段と、
少なくともＳサブバンドに関連する第１のＯＦＤＭサイズおよびＬサブバンドに関連する第２のＯＦＤＭシンボルサイズから、少なくとも１つのＯＦＤＭシンボルサイズを選択するための手段と、ここでＬはＳより大きく、そして
伝送ダイバーシティ方式を使用する１つまたはそれより多い伝送アンテナ対における伝送に関する該選択されたＯＦＤＭシンボルサイズのＯＦＤＭシンボルのストリームを得るために、該選択されたＯＦＤＭシンボルサイズに従って該インターリーブされたデータを処理するための手段を含む装置。
【請求項１４】
ＬはＳの倍数の整数である請求項１３記載の装置。
【請求項１５】
該第２のＯＦＤＭシンボルサイズが選択された場合、該インターリーブされたデータを処理する手段は、該第２のＯＦＤＭシンボルのサブバンドを該第１のＯＦＤＭシンボルのサブバンドにマップするように構成される、請求項１４記載の装置。
【請求項１６】
少なくとも１つのＯＦＤＭシンボルサイズを選択する手段は、該第１および第２のＯＦＤＭシンボルサイズを選択する手段を含み、そして
該インターリーブされたデータを処理する手段は、１つまたはそれより多くの伝送アンテナ対を使用する伝送のために、該第１および第２のＯＦＤＭシンボルサイズのＯＦＤＭシンボルのストリームを得るための手段を含む、
請求項１３記載の装置。
【請求項１７】
該伝送ダイバーシティ方式は、該第１のＯＦＤＭサイズが選択された場合、空間-時間伝送ダイバーシティ（ＳＴＴＤ）方式を含み、そして
該伝送ダイバーシティ方式は、該第２のＯＦＤＭサイズが選択された場合、空間-周波数伝送ダイバーシティ（ＳＦＴＤ）方式を含む、
請求項１３記載の装置。
【請求項１８】
該ＳＴＴＤ方式はサブバンドあたりおよびＯＦＤＭ-シンボル-対基準あたり実行され、そして、
該ＳＦＴＤ方式はサブバンド対あたりおよびＯＦＤＭ-シンボル基準あたり実行される、
請求項１７記載の装置。
【請求項１９】
無線マルチアンテナ直交周波数分割多重（ＯＦＤＭ）通信システムにおいて、伝送のためにデータを処理するコンピュータプログラム製品であって、そこに記録されたソフトウエアコードを有するメモリユニットを含み、該ソフトウエアコードは１つまたはそれより多くのプロセッサにより、
符号化されたデータを得るために、コーディング方式に従ってデータパケットのデータビットをコーディングし、
インターリーブされたデータを得るために、インターリービング方式に従って該符号化されたデータをインターリービングし、
少なくともＳサブバンドに関連する第１のＯＦＤＭサイズおよびＬサブバンドに関連する第２のＯＦＤＭシンボルサイズから、少なくとも１つのＯＦＤＭシンボルサイズを選択し、ここでＬはＳより大きく、そして
伝送ダイバーシティ方式を使用する１つまたはそれより多い伝送アンテナ対における伝送のために該選択されたＯＦＤＭシンボルサイズのＯＦＤＭシンボルのストリームを得るために、該選択されたＯＦＤＭシンボルサイズに従って該インターリーブされたデータを処理するために実行可能にされる、
コンピュータプログラム製品。
【請求項２０】
ＬはＳの倍数の整数である、請求項１９記載のコンピュータプログラム製品。
【請求項２１】
該第２のＯＦＤＭシンボルサイズが選択された場合、該インターリーブされたデータを処理することは該第２のＯＦＤＭシンボルのサブバンドを該第１のＯＦＤＭシンボルのサブバンドにマッピングすることを含む、請求項２０記載のコンピュータプログラム製品。
【請求項２２】
少なくとも１つのＯＦＤＭシンボルサイズを選択することは該第１および第２のＯＦＤＭシンボルサイズを選択することを含み、そして
該インターリーブされたデータを処理することは、１つまたはそれより多くの伝送アンテナ対を使用する伝送のために、該第１および第２のＯＦＤＭシンボルサイズのＯＦＤＭシンボルのストリームを得ることを含む、
請求項１９記載のコンピュータプログラム製品。
【請求項２３】
該第１のＯＦＤＭサイズ選択された場合、該伝送ダイバーシティ方式は空間-時間伝送ダイバーシティ（ＳＴＴＤ）方式を含み、そして
該第２のＯＦＤＭサイズ選択された場合、該伝送ダイバーシティ方式は空間-周波数伝送ダイバーシティ（ＳＦＴＤ）方式を含む、
請求項１９記載のコンピュータプログラム製品。
【請求項２４】
該ＳＴＴＤ方式はサブバンドあたりおよびＯＦＤＭ-シンボル-対基準あたり実行され、そして、
該ＳＦＴＤ方式はサブバンド対あたりおよびＯＦＤＭ-シンボル基準あたり実行される、
請求項２３記載のコンピュータプログラム製品。
【手続補正２】
【補正対象書類名】明細書
【補正対象項目名】０１０５
【補正方法】変更
【補正の内容】
【０１０５】
開示された実施例に関する以上の記述は、当業界において熟練したいかなる人にも本発明を作成しそして使用することを可能とするために与えられる。これらの実施例に対する種々の変形が、当業界において熟練した人々には容易に明白であり、そしてこの中に定義された一般的な原理は本発明の精神あるいは範囲から逸脱することなしに他の実施例に適用することが可能である。したがって、本発明はこの中に示された実施例に限定されることを意図したものではなく、しかし、この中に開示された原理および新規な特徴と矛盾しない最も広い範囲に一致されるべきものである。
上記実施例の記載は以下の発明を含む。
（１）無線マルチアンテナ直交周波数分割多重（ＯＦＤＭ）通信システムにおいて、伝送のためにデータを処理する方法であって、符号化されたデータを得るために、コーディング方式に従ってトラフィックデータをコーディングし、インターリーブされたデータを得るために、インターリービング方式に従って符号化されたデータをインターリービングし、データシンボルのストリームを得るために、変調方式に従ってインターリーブされたデータをシンボルマッピングし、そして、１対のアンテナから伝送のための送信シンボルの２対を得るために、ストリーム内のデータシンボルの各対を処理する、ここで各送信シンボルはデータシンボルの変形である、ことを含む方法。
（２）ここで、データシンボルの各対に対する送信シンボルの２個の対は、２個のＯＦＤＭシンボル期間中に同じサブバンド上のアンテナの対から送信される、（１）記載の方法。
（３）ここで、データシンボルの各対に対する送信シンボルの２個の対は、１個のＯＦＤＭシンボル期間中に２個のサブバンド上の１対のアンテナから送信される、（１）記載の方法。
（４）ここで、Ｎ個のアンテナがデータ伝送のために使用可能であり、そしてＮＴ・（ＮＴ−１）／２個の異なったアンテナの対がストリーム内のデータシンボルの対を送信するために使用される、ここでＮ>２である、（１）記載の方法。
（５）ここで、複数のサブバンドがデータ伝送に対して使用され、そしてここで、異なったアンテナの対がデータ伝送に対して使用される隣接したサブバンドに対して使用される、（１）記載の方法。
（６）ここで、システムはＳ個のサブバンドを有する第１のＯＦＤＭシンボルサイズおよびＬ個のサブバンドを有する第２のＯＦＤＭシンボルサイズをサポートする、ここでＳは１よりも大きい整数であり、そしてＬはＳの倍数の整数である、（１）記載の方法。
（７）さらに、複数のアンテナに対する複数の送信シンボルのストリームを形成し、そして、ＯＦＤＭシンボルの対応するストリームを得るために、第１あるいは第２のＯＦＤＭシンボルサイズに従って送信シンボルの各ストリームを変換することを含む、（６）方法。
（８）ここで、コーディングは、固定された符号レートで符号ビットを得るために、ベース符号に従ってトラフィックデータをコーディングし、そして、システムによってサポートされる複数の符号レートの一つで符号ビットを含む符号化されたデータを得るために、固定された符号レートで符号ビットをパンクチャすることを含む、（１）記載の方法。
（９）ここで、ベース符号はレート１／２畳み込み符号である、（８）記載の方法。
（１０）ここで、複数の符号レートは複数のパンクチャリングパターンと組み合わせられている、（８）記載の方法。
（１１）ここで、コーディングは、固定された符号レートで符号ビットを得るために、ベース符号に従ってトラフィックデータをコーディングし、固定された符号レートよりもより低い符号レートで符号ビットを含む符号化されたデータを得るために、固定された符号レートで符号ビットを反復することを含む、（１）記載の方法。
（１２）ここで、インターリービングは、符号化されたデータからの符号ビットのシーケンスを形成し、そして、シーケンスの各々に対してインターリービング方式に基づいて、シーケンス内の各符号ビットを複数のサブバンドの１個にマッピングすることを含む、（１）記載の方法。
（１３）ここで、符号ビットの各シーケンスは１個のＯＦＤＭシンボル期間中に複数のサブバンド上の伝送に対して指定されている（１２）記載の方法。
（１４）ここで、インターリービングは、符号化されたデータから符号ビットのシーケンスを形成し、シーケンスの各々を、サブバンドのＭ個のばらばらなグループ上に伝送のためにＭ個の符号ビットのブロックに分割し、なお符号ビットの１個のブロックはサブバンドの各グループに対するものであり、ここでＭ≧２であり、そして、各シーケンスに対するＭ個のブロックの各々に対して、インターリービング方式に基づいてブロック内の各符号ビットをそのブロックに対するグループ内のサブバンドの一つに対してマッピングする、ことを含む、（１）記載の方法。
（１５）ここで、シンボルマッピングは、インターリーブされたデータ内のＢ個のビットのセットをＢ-ビットのバイナリ値を形成するために分類し、ここでＢ≧１であり、そして、変調方式に基づいてＢ-ビットバイナリ値の各々をデータシンボルにマッピングする、ここで変調方式はその変調方式に対する信号コンスタレーション内の、２個の隣接したデータシンボルが、Ｂ個のビットの中の多くて１ビットだけ異なるようにグレイマッピングで定義されていることを含む、（１）記載の方法。
（１６）ここで、シンボルマッピングはさらに、セットの各々に対してＢ個のビットを再配列する、そしてここで再配列されたＢ個のビットのセットはＢ-ビットバイナリ値を形成するために使用される、ことを含む、（１５）記載の方法。
（１７）無線マルチアンテナ直交周波数分割多重（ＯＦＤＭ）通信システムにおける送信機であって、符号化されたデータを得るために、コーディング方式に従ってトラフィックデータを符号化する能力を有するエンコーダと、インターリーブされたデータを得るために、インターリービング方式に従って符号化されたデータをインターリーブする能力を有するインターリーバと、データシンボルのストリームを得るために、変調方式に従ってインターリーブされたデータをシンボルマップする能力を有するシンボルマッピングユニットと、そして、１対のアンテナから伝送のための２対の送信シンボルを得るために、ストリーム内のデータシンボルの各々の対を処理する能力を有する送信空間的処理装置と、ここで、各送信シンボルはデータシンボルの変形であるを含む送信機。
（１８）ここで、送信空間的処理装置は空間-時間送信ダイバーシティを実行し、そして２個のＯＦＤＭシンボル期間中にデータシンボルの各々の対に対する２対の送信シンボルを与える能力を有する、（１７）記載の送信機。
（１９）ここで、送信空間的処理装置は空間-周波数送信ダイバーシティを実行し、そして２個のサブバンド上にデータシンボルの各々の対に対する２対の送信シンボルを与える能力を有する、（１７）記載の送信機。
（２０）ここで、システムはＳ個のサブバンドを有する第１のＯＦＤＭシンボルサイズおよびＬ個のサブバンドを有する第２のＯＦＤＭシンボルサイズをサポートする、ここでＳは１より大きい整数であり、そしてＬはＳの倍数の整数である、（１７）記載の送信機。
（２１）さらに、複数のアンテナに対する複数の変調器を含む、なお各変調器はアンテナに対するＯＦＤＭシンボルの対応するストリームを得るために組み合わせられたアンテナに対する送信シンボルのストリームを変換する能力を有する、（２０）記載の送信機。
（２２）無線マルチアンテナ直交周波数分割多重（ＯＦＤＭ）通信システムにおける装置であって、符号化されたデータを得るために、コーディング方式に従ってトラフィックデータをコーディングするための手段と、インターリーブされたデータを得るために、インターリービング方式に従って符号化されたデータをインターリービングするための手段と、データシンボルのストリームを得るために、変調方式に従ってインターリーブされたデータをシンボルマッピングするための手段と、そして、アンテナの１対からの伝送に対する２対の送信シンボルを得るために、ストリーム内のデータシンボルの各々の対を処理するための手段とを有する、ここで各送信シンボルはデータシンボルの変形である、装置。
（２３）ここで、データシンボルの各対に対する２対の送信シンボルは、２個のＯＦＤＭシンボル期間中に１対のアンテナから送信される、（２２）記載の装置。
（２４）ここで、データシンボルの各対に対する２対の送信シンボルは、２個のサブバンド上に１対のアンテナから送信される（２２）記載の装置。
（２５）ここで、システムは、Ｓ個のサブバンドを有する第１のＯＦＤＭシンボルサイズおよびＬ個のサブバンドを有する第２のＯＦＤＭシンボルサイズをサポートし、ここでＳは１よりもより大きい整数であり、そしてＬはＳの倍数の整数である、（２２）記載の装置。
（２６）さらに、複数のアンテナに対する送信シンボルの複数のストリームを形成するための手段と、そして、ＯＦＤＭシンボルの対応するストリームを得るために、第１あるいは第２のＯＦＤＭシンボルサイズに従って送信シンボルの各ストリームを変換するための手段とを含む、（２５）記載の装置。
（２７）無線マルチアンテナ通信システムにおいて、伝送のためにデータを処理する方法であって、方法は、符号化されたデータを得るために、コーディング方式に従ってトラフィックデータをコーディングし、インターリーブされたデータを得るために、インターリービング方式に従って符号化されたデータをインターリービングし、データシンボルのストリームを得るために、変調方式に従ってインターリーブされたデータをシンボルマッピングし、そして、ストリーム内のデータシンボルの各々の対は１対のアンテナから送信され、そしてストリーム内のデータシンボルの連続的な対は異なったアンテナ対から送信されるように、データシンボルのストリームをデマルチプレクスすることを含む、方法。
（２８）ここで、デマルチプレクシングはさらに、符号化されたデータの各符号ビットは、符号ビットの符号レートに基づいて符号ビットに対して達成可能な最大数（番号）のアンテナから送信されるようになっている、（２７）記載の方法。
（２９）ここで、ＭＩＭＯシステムは直交周波数分割多重（ＯＦＤＭ）を実行する、（２７）記載の方法。
（３０）ここで、ストリーム内のデータシンボルの各々の対は、１個のサブバンド上の１対のアンテナから送信され、そしてここで隣接したサブバンドに対するデータシンボルの対は、異なったアンテナの対から送信される、（２９）記載の方法。
（３１）ここで、符号化されたデータに対するＳ個の符号ビットの各グループはインターリーブされる、ここでＳはデータ伝送に使用されるサブバンドの数である、（２９）記載の方法。
（３２）無線マルチアンテナ直交周波数分割多重（ＯＦＤＭ）通信システムにおいて、伝送のためにデータを処理する方法であって、方法は、符号化されたデータを得るために、コーディング方式に従ってトラフィックデータをコーディングし、インターリーブされたデータを得るために、インターリービング方式に従って符号化されたデータをインターリービングし、データシンボルのストリームを得るために、変調方式に従ってインターリーブされたデータをシンボルマッピングし、そして、ストリーム内のデータシンボルの各々の対が２個のサブバンド上の１対のアンテナから送信されるように、データシンボルのストリームをデマルチプレクスすることを含む方法。
（３３）ここで、ストリーム内のデータシンボルの各々の対は、データ伝送に対して使用可能な２個の隣接したサブバンド上に送信される、（３２）記載の方法。
（３４）さらに、送信シンボルの第１および第２の対を得るために、ストリーム内のデータシンボルの各々の対を処理することを含む、なお送信シンボルはデータシンボルの対におけるデータシンボルの一つの変形であり、ここで送信シンボルの第１の対は第１のサブバンド上のアンテナの対から送信され、そして送信シンボルの第２の対は第２のサブバンド上のアンテナの対から送信される、（３２）記載の方法。
（３５）ここで、送信シンボルの第１および第２の対は、一つのＯＦＤＭシンボル期間中に第１および第２のサブバンド上にそれぞれ同時に送信される、（３４）記載の方法。
（３６）無線マルチアンテナ直交周波数分割多重（ＯＦＤＭ）通信システムにおいて、受信機においてデータを処理する方法であって、方法は、受信されたシンボルのベクトルのストリームを取得し、なお各ベクトルはＮ個の受信アンテナに対するＮ個の受信されたシンボルを含み、ここでＮは１あるいはより大きく、それは２個の送信アンテナからの送信シンボルの２対として送信された２個のデータシンボルの推定値である、２個の回復されたデータシンボルを得るために、ストリーム内の受信されたシンボルのベクトルの対の各々を処理し、なお各送信シンボルはデータシンボルの変形であり、ここで回復されたデータシンボルのストリームは、受信されたシンボルのベクトルのストリームに対して得られており、復調されたデータを得るために、復調方式に従って回復されたデータシンボルのストリームをシンボルデマッピングし、デインターリーブされたデータを得るために、デインターリービング方式に従って復調されたデータをデインターリービングし、そして、復号されたデータを得るために、復号方式に従ってデインターリーブされたデータを復号することを含む方法。
（３７）ここで、受信されたシンボルのベクトルの対の各々は２個のＯＦＤＭシンボル期間に対するものである、（３６）記載の方法。
（３８）ここで、受信されたシンボルのベクトルの対の各々は２個のサブバンドに対するものである、（３６）記載の方法。
（３９）ここで、システムはＳ個のサブバンドを有する第１のＯＦＤＭシンボルサイズおよびＬ個のサブバンドを有する第２のＯＦＤＭシンボルサイズをサポートし、ここでＳは１よりもより大きい整数であり、そしてＬはＳの倍数の整数である、（３６）記載の方法。
（４０）さらに、受信アンテナに対して受信されたシンボルの対応するストリームを得るために、第１のあるいは第２のＯＦＤＭシンボルサイズに従ってＮ個の受信アンテナの各々に対するサンプルのストリームを変換することを含む、そしてここで受信されたシンボルのベクトルのストリームは、Ｎ個の受信アンテナに対する受信されたシンボルのＮ個のストリームから得られている、（３９）記載の方法。
（４１）ここで、Ｎ＝１であり、そして各ベクトルは１個の受信アンテナに対する１個の受信されたシンボルを含む、（３６）記載の方法。
（４２）ここで、Ｎ＞１であり、そして各ベクトルは複数の受信アンテナに対する複数の受信されたシンボルを含む、（３６）記載の方法。
（４３）無線マルチアンテナ直交周波数分割多重（ＯＦＤＭ）通信システムにおける受信機であって、受信されたシンボルのベクトルのストリームを受信し、２個の送信アンテナからの２対の送信シンボルとして送信された２個のデータシンボルの推定値である、２個の回復されたデータシンボルを得るために、ストリーム内の受信されたシンボルのベクトルの各々の対を処理する能力を有する受信空間的処理装置と、ここで、各ベクトルはＮ個の受信アンテナに対するＮ個の受信されたシンボルを含み、ここでＮは１あるいはより大きく、そしてここで、回復されたデータシンボルのストリームは受信されたシンボルのベクトルのストリームに対して得られており、復調されたデータを得るために、復調方式に従って回復されたデータシンボルのストリームをシンボルデマップする能力を有するシンボルデマッピングユニットと、デインターリーブされたデータを得るために、デインターリービング方式に従って復調されたデータをデインターリーブする能力を有するデインターリーバと、そして、復号されたデータを得るために、復号方式に従ってインターリーブされたデータを復号する能力を有する復号器とを含む受信機。
（４４）ここで、受信されたシンボルのベクトルの各々の対は２個のＯＦＤＭシンボル期間に対するものである、（４３）記載の受信機。
（４５）ここで、受信されたシンボルのベクトルの各々の対は２個のサブバンドに対するものである、（４３）記載の受信機。
（４６）ここで、システムはＳ個のサブバンドを有する第１のＯＦＤＭシンボルサイズおよびＬ個のサブバンドを有する第２のＯＦＤＭシンボルサイズをサポートする、ここでＳは１よりもより大きい整数であり、そしてＬはＳの倍数の整数である、（４３）記載の受信機。
（４７）さらに、Ｎ個の受信アンテナに対するＮ個の復調器を含む、なお各復調器は、受信アンテナに対する受信されたシンボルの対応するストリームを得るために第１あるいは第２のＯＦＤＭシンボルサイズに従って、組み合わせられた受信アンテナに対するサンプルのストリームを変換する能力を有しており、そしてここで、受信されたシンボルのベクトルのストリームはＮ個の受信アンテナに対する受信されたシンボルのＮ個のストリームから得られている、（４６）記載の受信機。
（４８）無線マルチアンテナ直交周波数分割多重（ＯＦＤＭ）通信システムにおける装置であって、受信されたシンボルのベクトルのストリームを得るための手段と、なお各ベクトルはＮ個の受信アンテナに対するＮ個の受信されたシンボルを含んでおり、ここでＮは１あるいはより大きく、２個の送信アンテナからの送信シンボルの２個の対として送信された２個のデータシンボルの推定である、２個の回復されたデータシンボルを得るためにストリーム内の受信されたシンボルのベクトルの各々の対を処理するための手段と、なお各送信シンボルはデータシンボルの変形であり、ここで回復されたデータシンボルのストリームは受信されたシンボルのベクトルのストリームに対して得られており、復調されたシンボルを得るために、復調方式に従って受信されたデータシンボルのストリームをシンボルデマッピングための手段と、デインターリーブされたデータを得るために、デインターリービング方式に従って復調されたデータをデインターリービングするための手段と、そして、復号されたデータを得るために、復号方式に従ってデインターリーブされたデータを復号するための手段とを含む装置。
（４９）ここで、受信されたシンボルのベクトルの対の各々は、２個のＯＦＤＭシンボル期間に対するものである、（４８）記載の装置。
（５０）ここで、受信されたシンボルのベクトルの対の各々は、２個のサブバンドに対するものである、（４８）記載の装置。
（５１）ここで、システムはＳ個のサブバンドを有する第１のＯＦＤＭシンボルサイズおよびＬ個のサブバンドを有する第２のＯＦＤＭシンボルサイズをサポートする、ここで、Ｓは１よりもより大きい整数であり、そしてＬはＳの倍数の整数である、（４８）記載の装置。
（５２）さらに、受信アンテナに対する受信されたシンボルの対応するストリームを得るために第１あるいは第２のＯＦＤＭシンボルサイズに従ってＮ個の受信アンテナの各々に対するサンプルのストリームを変換するための手段を含む、そしてここで受信されたシンボルのベクトルのストリームはＮ個の受信アンテナに対する受信されたシンボルのＮ個のストリームから得られている、（５１）記載の装置。
【外国語明細書】
2011030262000001.pdf